(57)【要約】  処方眼鏡、サングラス、ヘッドフォン、イヤバッド、衣服、ヘッドギヤ、バックパック、ベルトなどを含む多くのデバイスは、人体上に支持されるように構成される。これらのデバイスは、鼻及び耳のようなヒト頭部の１又は２以上の部分と相互作用する従来の支持機構を含む。説明する装置、デバイス、及び機構は、１又は２以上のＡｂｒｅｕ脳熱トンネル（ＡＢＴＴ）終端の温度を測定するように構成される。これに加えて、一部の実施形態は、診断された病態及び疾患に対して処置を提供するように構成される。【選択図】      図１
2018516111.tif 000002
【特許請求の範囲】
【請求項１】
脳の熱処置のための装置であって、
装置上に位置決めされた温度センサであって、人体の眉と眼の間に位置付けられたＡｂｒｅｕ脳熱トンネル（ＡＢＴＴ）終端の温度を測定するように位置決めされてそのように構成され、かつ該ＡＢＴＴ終端での該温度を表す信号を送信するように構成された前記温度センサと、
装置上に位置決めされたプロセッサであって、前記信号を受信し、該信号から前記脳の温度変更を必要とする該脳の病態を決定し、かつ制御信号を送信するように構成された前記プロセッサと、
装置に接続され、前記ＡＢＴＴ終端以外の場所内の前記人体の部分に熱を印加するか又はそこから熱を除去するように位置決めされた温度変更デバイスであって、前記制御信号を受信するように構成され、かつ該制御信号に応答して該人体の該部分を通じて前記脳に熱を印加するか又はそこから熱を除去するように構成された前記温度変更デバイスと、
を含むことを特徴とする装置。
【請求項２】
頭部上に支持されることを特徴とする請求項１に記載の装置。
【請求項３】
装置に又は装置から個別の電子デバイスに信号を送信するように構成された無線通信デバイスを含むことを特徴とする請求項１に記載の装置。
【請求項４】
前記温度変更デバイスは、頭部の少なくとも一方のこめかみ上に位置決めされることを特徴とする請求項１に記載の装置。
【請求項５】
前記温度変更デバイスは、耳と肩の間を首に沿って延びるように位置決めされることを特徴とする請求項１に記載の装置。
【請求項６】
前記温度変更デバイスは、少なくとも一方の肩に沿って延びるように位置決めされることを特徴とする請求項１に記載の装置。
【請求項７】
前記温度変更デバイスは、耳の背後の領域から首に沿って、次に前記少なくとも一方の肩に沿って延びるように位置決めされることを特徴とする請求項６に記載の装置。
【請求項８】
前記温度変更デバイスは、首の背後に沿って延びることを特徴とする請求項１に記載の装置。
【請求項９】
前記温度変更デバイスは、額を横切って延びることを特徴とする請求項１に記載の装置。
【請求項１０】
装置に取り付けられ、かつ装置によって少なくとも部分的に支持された挿管デバイスを更に含むことを特徴とする請求項１に記載の装置。
【請求項１１】
前記温度変更デバイスは、顔面の形状と共形であることを特徴とする請求項１に記載の装置。
【請求項１２】
前記温度変更デバイスは、前記眼の区域の形状と共形であることを特徴とする請求項１１に記載の装置。
【請求項１３】
装置を１対の耳上に支持する耳インタフェースと装置を顔面上に支持するマスクとを含むことを特徴とする請求項１に記載の装置。
【請求項１４】
前記マスクは、二酸化炭素センサを含むことを特徴とする請求項１３に記載の装置。
【請求項１５】
前記温度変更デバイスは、副鼻腔路を通じて前記脳に熱を印加するか又はそこから熱を除去するための鼻孔インタフェースを更に含むことを特徴とする請求項１に記載の装置。
【請求項１６】
眼の前の場所で装置上に位置決めされたレンズを更に含むことを特徴とする請求項１に記載の装置。
【請求項１７】
前記レンズは、切り込みを含み、前記温度センサは、前記ＡＢＴＴ終端と相互作用するように該切り込みに位置決めされることを特徴とする請求項１６に記載の装置。
【請求項１８】
前記温度変更デバイスは、少なくとも１つの血管に沿って延びるように位置決めされることを特徴とする請求項１に記載の装置。
【請求項１９】
前記少なくとも１つの血管は、皮膚の面に近いことを特徴とする請求項１に記載の装置。
【請求項２０】
前記温度変更デバイスは、前記少なくとも１つの血管に隣接する前記人体の区域内の熱受容体との接触を最小にする寸法を含むことを特徴とする請求項１８に記載の装置。
【請求項２１】
前記温度変更デバイスは、少なくとも１２５ｍｍにわたって頸動脈に沿って延びることを特徴とする請求項５に記載の装置。
【請求項２２】
前記温度変更デバイスの幅が、最大で９５ｍｍであることを特徴とする請求項２１に記載の装置。
【請求項２３】
脳の熱処置のための装置であって、
装置上に位置決めされた温度センサであって、人体の眉と眼の間に位置付けられたＡｂｒｅｕ脳熱トンネル（ＡＢＴＴ）終端の温度を測定するように位置決めされてそのように構成され、かつ該ＡＢＴＴ終端での該温度を表す信号を送信するように構成された前記温度センサと、
装置上に位置決めされたプロセッサであって、前記信号を受信し、該信号から前記脳の温度変更を必要とする該脳の病態を決定し、かつ制御信号を送信するように構成された前記プロセッサと、
装置に接続され、前記脳に熱を印加するか又はそこから熱を除去するように位置決めされた温度変更デバイスであって、前記制御信号を受信するように構成され、かつ該制御信号に応答して該脳に熱を印加するか又はそこから熱を除去するように構成された前記温度変更デバイスと、
装置に取り付けられ、かつ装置によって少なくとも部分的に支持された挿管デバイスと、
を含むことを特徴とする装置。
【発明の詳細な説明】
【技術分野】
【０００１】
本発明の開示は、人体上に支持され、人体の生体パラメータを測定し、かつ人体の特性を対話的に制御するように構成されたデバイスに関する。
【背景技術】
【０００２】
処方眼鏡、サングラス、ヘッドフォン、イヤバッド、衣服、ヘッドギヤ、バックパック、ベルトなどを含む多くのデバイスは、人体上に支持されるように構成される。これらのデバイスは、鼻及び耳のようなヒト頭部の１又は２以上の部分と相互作用する従来の支持機構を含む。
【０００３】
更に、ＥＥＧ機械、ＥＫＧ機械、血圧カフ、温度計などのような人体の生体パラメータを測定するデバイスが存在する。
【０００４】
更に、薬剤、加熱パッド、冷却パッド、心臓ペースメーカーなどのような人体の特性を制御するデバイス、化学物質、及び方法が公知である。
【先行技術文献】
【特許文献】
【０００５】
【特許文献１】米国特許出願第１４／５１２，４２１号明細書
【特許文献２】米国特許出願第１４／５１２，４２７号明細書
【特許文献３】米国特許出願第１４／５９３，８４８号明細書
【特許文献４】米国特許出願第１４／５９４，１２２号明細書
【特許文献５】米国特許出願第１４／６０３，３５３号明細書
【発明の概要】
【課題を解決するための手段】
【０００６】
本発明の開示は、Ａｂｒｅｕ脳熱トンネル（ＡＢＴＴ）を位置付けてＡＢＴＴから熱データを測定するためのデバイスを提供する。デバイスは、センサ又は検出器と、プロセッサと、ディスプレイとを含む。センサは、ＡＢＴＴの熱データを取得して熱データを送信するように構成される。プロセッサは、送信された熱データを受信し、熱データを解析してＡＢＴＴ終端の位置を決定し、次に、ＡＢＴＴ終端から熱データを取得し、取得した熱データを解析し、かつ解析の結果を送信するように構成される。ディスプレイは、解析の結果を受信し、かつ解析の結果を表示するように構成される。
【０００７】
本発明の開示はまた、ＡＢＴＴ上に又はそれに隣接して位置決めされた１つの右センサ及び１つの左センサである２つの別々のセンサを有するヘッドバンドを含む２つのＡｂｒｅｕ脳熱トンネル（ＡＢＴＴ）の温度を測定するためのデバイスを提供する。デバイスは、回転可能部材と、第１の熱センサと、第２の熱センサとを含む。第１の熱センサは、デバイス上に位置決めされ、かつ右側の第１のＡＢＴＴ終端の熱出力を測定するようなサイズ及び寸法にされる。第１の熱センサは、第１の方向に向けられる。第２の熱センサは、デバイスによって支持され、かつ左側の第２のＡＢＴＴ終端の熱出力を測定するようなサイズ及び寸法にされる。第２の熱センサは、第２の方向に向けられる。回転可能部材は、右熱センサ及び左熱センサをＡＢＴＴに位置合わせするために第１の熱センサと第２の熱センサの間の距離を変えるように移動可能であるように構成される。プロセッサは、右熱センサ及び左熱センサからのデータを解析して最も高い温度を決定し、かつ最高温度を表示するか又はこれに代えて最高温度値を遠隔デバイスに送信するようになっている。
【０００８】
本発明の開示はまた、少なくとも１つのＡｂｒｅｕ脳熱トンネル終端のエミッションを測定するためのシステムを提供し、システムは、センサと、ディスプレイと、プロセッサとを含む。センサは、エミッションを感受し、かつ時間間隔中にエミッションを表す信号を送信するように構成される。プロセッサは、信号を受信し、信号を解析し、かつ信号及び信号の解析のうちの少なくとも一方を表す出力をディスプレイに提供するように構成される。プロセッサは、更に、時間間隔中及び信号を受信して信号を解析する時間中に広告を含む出力を提供するように構成される。
【０００９】
本発明の開示はまた、少なくとも１つのＡｂｒｅｕ脳熱トンネル終端から取得されるデータを取得、解析、及び表示する方法を提供する。本方法は、時間間隔中に少なくとも１つのＡｂｒｅｕ脳熱トンネル終端からのエミッションを感受する段階と、エミッションを表す信号をプロセッサに送信する段階と、送信された信号を解析して結果をディスプレイ上に提示する段階と、時間間隔中に広告を表示する段階とを含む。
【００１０】
本発明の開示はまた、少なくとも１つのＡｂｒｅｕ脳熱トンネル終端のエミッションを測定するためのシステムを提供し、システムは、センサと、ディスプレイと、プロセッサとを含む。センサは、エミッションを感受し、かつ時間間隔中にエミッションを表す信号を送信するように構成される。プロセッサは、信号を受信し、信号を解析し、かつ信号及び信号の解析のうちの少なくとも一方を表す出力をディスプレイに提供するように構成される。プロセッサは、更に、時間間隔中及び信号を受信して信号を解析する時間中に広告を含む出力を提供するように構成される。
【００１１】
本発明の開示はまた、少なくとも１つのＡｂｒｅｕ脳熱トンネル終端のエミッションを測定するためのシステムを提供し、システムは、センサと、ディスプレイと、プロセッサとを含む。センサは、エミッションを感受し、かつエミッションを表す信号を温度変更デバイスに送信するように構成され、温度変更デバイスは、好ましくは、首内の頸動脈及び椎骨動脈に位置合わせされる。プロセッサは、信号を受信し、信号を解析し、かつ信号及び信号の解析のうちの少なくとも一方を表す出力を温度変更デバイスに提供するように構成され、温度変更デバイスは、その温度をプロセッサから受信した信号に基づいて変更する（温度変更デバイスによって覆われた区域を加熱又は冷却するために上昇又は低下させる）。温度変更デバイスは、信号をセンサデバイスのプロセッサに提供するように構成され、プロセッサは、信号を温度変更デバイスに送信し、ＡＢＴＴの温度が温度変更デバイスの温度を調節する閉ループシステムを生成し、プロセッサは、ＡＢＴＴのターゲット温度に達するまで温度変更デバイスにその温度を変える（加熱又は冷却する）指令を送信し続ける。プロセッサは、更に、時間間隔中及び信号を温度変更デバイスに送信する時間中に広告を含む出力を提供するように構成される。
【００１２】
本発明の開示はまた、温度変更デバイスに有線手段によって接続された少なくとも１つのＡｂｒｅｕ脳熱トンネル終端のエミッションを測定するためのシステムを提供する。
【００１３】
本発明の開示はまた、外部温度変更デバイスに無線手段によって接続された少なくとも１つのＡｂｒｅｕ脳熱トンネル終端のエミッションを測定するためのシステムを提供する。
【００１４】
本発明の開示の実施形態の利点及び特徴は、以下の例示的実施形態の詳細説明を添付図面に関連付けて見る時により明らかになるであろう。
【図面の簡単な説明】
【００１５】
【図１】ＡＢＴＴ及びＡＢＴＴに関連付けられた顔面静脈の概略図である。
【図２】Ａｂｒｅｕ脳熱トンネルとある一定の他の顔面特徴とを示すヒト頭蓋骨を垂直方向に通る概略部分断面図である。
【図３】脳コア内への血流の様式的表現を示す図である。
【図４】本発明の開示の例示的実施形態による第１の装置の上面図である。
【図５】図４の第１の装置の斜視図である。
【図６】図４の第１の装置の側面図である。
【図７】図４の第１の装置の正面図である。
【図８】本発明の開示の例示的実施形態による第２の装置の側面図である。
【図９】図８の第２の装置の正面図である。
【図１０】本発明の開示の例示的実施形態による第３の装置の側面図である。
【図１１】図１０の第３の装置の正面図である。
【図１２】本発明の開示の例示的実施形態による第４の装置の側面図である。
【図１３】図１２の第４の装置の正面図である。
【図１４】本発明の開示の例示的実施形態による第５の装置の側面図である。
【図１５】図１４の第５の装置の正面図である。
【図１６】図１４の第５の装置の背面図である。
【図１７】本発明の開示の例示的実施形態による第６の装置の側面図である。
【図１８】図１７の第６の装置の正面図である。
【図１９】本発明の開示の例示的実施形態による第７の装置の側面図である。
【図２０】図１９の第７の装置の正面図である。
【図２１】本発明の開示の例示的実施形態による第８の装置の側面図である。
【図２２】図２１の第８の装置の正面図である。
【図２３】本発明の開示の例示的実施形態による第９の装置の側面図である。
【図２４】図２３の第９の装置の正面図である。
【図２５】本発明の開示の例示的実施形態による第１０の装置の側面図である。
【図２６】図２５の第１０の装置の正面図である。
【図２７】線２７−２７に沿う図２６の第１０の装置の断面図である。
【図２８】本発明の開示の例示的実施形態による第１の温度変更デバイスの図である。
【図２９】本発明の開示の例示的実施形態による第２の温度変更デバイスの図である。
【図３０】本発明の開示の例示的実施形態による第３の温度変更デバイスの図である。
【図３１】本発明の開示の例示的実施形態による第４の温度変更デバイスの図である。
【図３２】本発明の開示の例示的実施形態による第１１の装置の側面図である。
【図３３】図３２の第１１の装置の正面図である。
【図３４】本発明の開示の例示的実施形態による第１２の装置の側面図である。
【図３５】図３４の第１２の装置の正面図である。
【図３６】図３４及び図３５の第１２の装置の一部分の図である。
【図３７】本発明の開示の例示的実施形態による第１３の装置の側面図である。
【図３８】図３７の第１３の装置の正面図である。
【図３９】本発明の開示の例示的実施形態による第１４の装置の側面図である。
【図４０】図３９の第１４の装置の正面図である。
【図４１】本発明の開示の例示的実施形態による第１５の装置の側面図である。
【図４２】図４１の第１５の装置の正面図である。
【図４３】本発明の開示の例示的実施形態による第１６の装置の図である。
【図４４】図４４の装置の一部分の図である。
【図４５】図４４の装置の一部分の別の図である。
【図４６】ユーザの頭部上に位置決めされた図４４の装置の更に別の図である。
【図４７】ユーザが眼鏡類フレームを同じく着用している図４６と類似の図である。
【図４８】本発明の開示の例示的実施形態による第１７の装置の図である。
【図４９】ユーザの頭部上に位置決めされた図４８の第１７の装置の図である。
【図５０】ユーザの頭部上に位置決めされた図４８の第１７の装置の更に別の図である。
【図５１】ユーザが眼鏡類フレームを同じく着用しているユーザの頭部上に位置決めされた図４８の第１７の装置の更に別の図である。
【図５２】眼鏡類フレームと共にユーザの頭部上に位置決めされた図４３の第１６の装置と遠隔温度変更デバイスとの図である。
【図５３】ユーザの頭部上に位置決めされた図４３の第１６の装置と遠隔温度変更デバイスとの図である。
【図５４】ユーザの頭部上に位置決めされた図４３の第１６の装置と個別の脚温度変更デバイスとの図である。
【図５５】ユーザの頭部上に位置決めされた図４３の第１６の装置と個別の温度変更デバイスとの図である。
【図５６】ユーザの頭部上に位置決めされた図４３の第１６の装置と複数の温度変更デバイスとの図である。
【図５７】ユーザの頭部上に位置決めされた図４３の第１６の装置と複数の温度変更デバイスとの図である。
【図５８】本発明の開示の例示的実施形態による第１８の装置の図である。
【図５９】図５８の第１８の装置の別の図である。
【図６０】本発明の開示の例示的実施形態による第１９の装置の図である。
【図６１】図６０の第１９の装置の別の図である。
【図６２】図６０の第１９の装置の更に別の図である。
【図６３】本発明の開示の例示的実施形態による第２０の装置の図である。
【図６４】図６３の第２０の装置の別の図である。
【図６５】図６３の第２０の装置の更に別の図である。
【図６６】本発明の開示の例示的実施形態による第２１の装置の図である。
【図６７】本発明の開示の例示的実施形態による第２２の装置の図である。
【図６８】図６７の第２２の装置の別の図である。
【図６９】図６７の第２２の装置の更に別の図である。
【図７０】本発明の開示の例示的実施形態による第２３の装置の図である。
【図７１】本発明の開示の例示的実施形態による第２４の装置の図である。
【図７２】図７１の第２４の装置の別の図である。
【図７３】本発明の開示の例示的実施形態による第２５の装置の図である。
【図７４】本発明の開示の例示的実施形態による第２６の装置の図である。
【図７５】図７３の第２５の装置の一部分の図である。
【図７６】図７３の第２５装置の一部分の別の図である。
【図７７】図７４の第２６の装置の別の図である。
【図７８】本発明の開示の例示的実施形態による第２７の装置の図である。
【図７９】図７８の第２７の装置の別の図である。
【図８０】図７８の第２７の装置の更に別の図である。
【図８１】本発明の開示の例示的実施形態による第２８の装置の図である。
【図８２】温度変更デバイスに加えて図８１の第２８の装置の別の図である。
【図８３】図８１の第２８の装置と図８１の温度変更デバイスとの更に別の図である。
【図８４】本発明の開示の例示的実施形態による第２９の装置の図である。
【図８５】図８４の第２９の装置の別の図である。
【図８６】本発明の開示の例示的実施形態による第３０の装置の図である。
【図８７】ゴーグル又はマスクと共に着用された図８６の第３０の装置の別の図である。
【図８８】図８６の第３０の装置の拡大図である。
【図８９】複数の温度変更デバイスと共に着用された図４８の第１７の装置の図である。
【図９０】本発明の開示の例示的実施形態による温度変更デバイスの図である。
【図９１】図９０の温度変更デバイスの別の図である。
【図９２】本発明の開示の例示的実施形態による第３１の装置の図である。
【図９３】図９２の第３１の装置の別の図である。
【図９４】図９２の第３１の装置の更に別の図である。
【図９５】本発明の開示の例示的実施形態による第３２の装置の図である。
【図９６】図９５の第３２の装置の別の図である。
【図９７】図９５の第３２の装置の更に別の図である。
【図９８】本発明の開示の例示的実施形態による温度変更デバイスの図である。
【図９９】図９８の温度変更デバイスを図６７の第２２の装置と共に着用しているユーザの図である。
【図１００】図９８の温度変更デバイスと図６７の第２２の装置との別の図である。
【図１０１】図９８の温度変更デバイスと図６７の第２２の装置との更に別の図である。
【図１０２】本発明の開示の例示的実施形態による第１の温度変更パターンの図である。
【図１０３】本発明の開示の例示的実施形態による第２の温度変更パターンの図である。
【図１０４】本発明の開示の例示的実施形態による第３の温度変更パターンの図である。
【図１０５】本発明の開示の例示的実施形態によるフィードバックループの図である。
【図１０６】本発明の開示の例示的実施形態による睡眠中のフィードバック制御の図である。
【図１０７】本発明の開示の例示的実施形態によるターゲットパターンからの偏奇の図である。
【図１０８】本発明の開示の例示的実施形態によるターゲットパターンからの別の偏奇の図である。
【図１０９】本発明の開示の例示的実施形態による更に別の装置の図である。
【図１１０】図１０９の装置の別の図である。
【図１１１】図１０９の装置の更に別の図である。
【図１１２】本発明の開示の例示的実施形態による温度変更デバイスの図である。
【図１１３】本発明の開示の例示的実施形態による閉フィードバックループの図である。
【図１１４】本発明の開示の例示的実施形態による第１の過程フローの図である。
【図１１５】本発明の開示の例示的実施形態による第２の過程フローの図である。
【図１１６】本発明の開示の例示的実施形態による第３の過程フローの図である。
【発明を実施するための形態】
【００１６】
Ａｂｒｅｕ脳熱トンネル（ＡＢＴＴ）は、全体が引用によって本明細書に組み込まれている現在特許出願中で２０１４年１０月１１日出願の米国特許出願第１４／５１２，４２１号明細書、２０１４年１０月１１日出願の第１４／５１２，４２７号明細書、２０１５年１月９日出願の第１４／５９３，８４８号明細書、２０１５年１月１０日出願の第１４／５９４，１２２号明細書、及び２０１５年１月２２日出願の第１４／６０３，３５３号明細書において本出願人が開示すように、これまで診断することが困難又は不可能でさえあった一連の病態及び疾患を診断し、かつこれらの疾患及び病態を処置する独特の機会を提供するものである。本発明の開示は、ＡＢＴＴの終端を通じた病態及び疾患の診断、及びこれらの病態及び疾患の処置のための更に別の装置、デバイス、及び機構を提供する。
【００１７】
熱射病、低体温症、癌、心臓まひ、発作、及び脳卒中などのようなヒト病態の診断及び処置は、従来、多くの場合に時間を消費し、高額である複数の検査及び処置を用いて行われている。時に発作のような病態の診断は観察に基づくものであり、発作の場合に、発作の観察は、発作が発生しているという唯一の表示である。同様に、処置は時間を消費する可能性があり、多くの場合に、病態の根本原因を絞り込み損ねる。更に悪いことに、処置は、多くの場合に一部の処置の侵襲性又は一部の処置の副作用に起因して追加の問題の原因である。
【００１８】
本発明の開示は、Ａｂｒｅｕ脳熱トンネル又はＡＢＴＴが、脳−面の熱力学連通及び脳中枢との直接的な熱接続のための最初の既知の構造を与えるという発見から生じたものである。解剖学的かつ生理学的には、図１〜図３に示すように、ＡＢＴＴ１２は、脳の制御中枢にある脳コア２４とＡＢＴＴ終端１０の皮膚との間に連続的で直接的な不撹乱接続部を含む。ＡＢＴＴ終端１０の皮膚は、最少数の層を有する最も薄い皮膚であり、脂肪層が不在であり、人体上のあらゆる皮膚のうちでも高い熱伝導率を有するという点で独特である。
【００１９】
トンネルの一端での身体的及び生理学的な事象は、反対端で再現される。従って、現在特許出願中の米国特許出願第１４／５１２，４２１号明細書に記載されているように、ＡＢＴＴ１２は、脳コア２４からＡＢＴＴ終端１０への有意な障壁のない温度信号の直接的な伝達を可能にする。更に、ＡＢＴＴ終端１０での熱の印加及び熱の除去を含む温度の変更は、脳コア２４に直接に影響を及ぼし、最終的には患者又は被検者の全身に影響を及ぼす。従って、本発明の開示は、ＡＢＴＴ終端１０からの温度信号を取得し、これらの信号を解析し、これらの信号からヒト病態を決定するための装置の説明を含む。これに加えて、本明細書に開示するように、ヒト病態の処置のための装置は、温度取得装置と組み合わせることができる。
【００２０】
解剖学的構造は、前頭静脈１４、上眼瞼静脈１６、眼窩上静脈１８、及び眼角静脈２０という４つの静脈のＡＢＴＴターゲット区域１０における合流を示している。眼角静脈２０は、ＡＢＴＴ１２から遠くに延び、顔面静脈２２に移行する。合流すると、眼３２と眉２８の間のＡＢＴＴターゲット区域１０からの視床下部に存在する温度中枢又は海綿静脈洞に存在する身体の熱貯蔵区域である脳の中枢内への直接的な無弁接続が存在する。
【００２１】
図１及び図２は、これらの静脈の他の顔面特徴に対する大体の場所を示している。眼角静脈／顔面静脈２０／２２は、鼻２６のわきを上に走り、上眼瞼静脈１６は眉２８に沿って走り、前頭静脈１４及び眼窩上静脈１８は額３０を通って走り、これらの全てが頭部３４上に位置決めされている。本発明の開示の目的に対して、本明細書において関連の顔面の区域又は静脈を参照する術語は、上記に言及した静脈及びＡＢＴＴ１０のうちの１又は２以上として以下に説明する。
【００２２】
本明細書で説明するように、静脈１４、１６、１８、２０、及び２２は、上瞼の領域内で鼻梁に隣接する上内側眼窩内で合流し、阻害されることなく脳の中枢に直接に流れる。この区域内の皮膚は、本出願人による係属中の出願に示すように、体内で最も薄い皮膚であり、脂肪がなく脳コアからＡＢＴＴ終端１０の皮膚への意外に高速な温度連通を与える。これらの血管は、一般的に血流及び直接的で高速な温度信号送信に対する重大な障壁である弁を欠く。弁を持たないことで、これらの血管は、脳の視床下部領域へ、及びそこから温度信号を直接に搬送するための直接的で阻害のない通路を確実に与える。更に、ＡＢＴＴ１２は、トンネル（ＡＢＴＴ１２）の中心部分に対応し、無弁であり、双方向血流を有する皮膚面を脳に接続する上眼静脈（ＳＯＶ）２３を含む。ＳＯＶは、眼３２と眉２８の間の上内側眼窩の皮膚の直下に位置し、ＡＢＴＴ１２の顔面端にある皮膚面から脳へ、かつ視床下部への直接的な導管である。脳の視床下部領域は、中枢神経系と内分泌系の間の結合部であり、従って、例えば、空腹、喉の乾き、体温、疲労、血圧、免疫反応、概日周期、ホルモンの生成及び分泌、並びに多くの他のもののような多くの基本身体機能に対する制御中枢としての機能をもたらす。
【００２３】
ＡＢＴＴ１２上の、それにわたる、又はそれに隣接する皮膚上の本明細書ではターゲット区域又は終端１０と記すＡＢＴＴ１２の顔面端は、内眼角靭帝の場所の眼３２の内側コーナから計った直径で約１１ｍｍの大きさがあり、更にＡＢＴＴ上部突出部の形態で更に約６ｍｍ又は７ｍｍにわたって上に延び、次に、更に別の２２ｍｍにわたって上瞼内に角状突出部として延びる。ＡＢＴＴ終端１０内及びその近くのＡＢＴＴ角状突出部内には脂肪が不在であり、脂肪層は、ＡＢＴＴ終端１０から離間距離だけ離れた区域に存在する。
【００２４】
本発明の開示の多くの態様は、プログラムされた命令を実行することができるコンピュータシステム又は他のハードウエア、例えば、汎用コンピュータ、専用コンピュータ、ワークステーション、又は他のプログラム可能データ処理装置の要素によって実施されることになるアクションシーケンスに関して説明する。これらの実施形態の各々において、様々なアクションは、特殊回路（例えば、特殊機能を実施するように相互接続された離散論理ゲート）により、１又は２以上のプロセッサ（例えば、１又は２以上のマイクロプロセッサ、中央演算処理装置（ＣＰＵ）、及び／又は特定用途向け集積回路）によって実行されるプログラムモジュールのようなプログラム命令（ソフトウエア）により、又はこれら両方の組合せによって実施することができることは認識されるであろう。例えば、実施形態は、ハードウエア、ソフトウエア、ファームウエア、マイクロコード、又はこれらのあらゆる組合せに実施することができる。命令は、必要なタスクを実行し、ストレージ媒体又は他のストレージのような非一時的機械可読媒体に格納することができるプログラムコード又はコードセグメントとすることができる。コードセグメントは、手順、機能、サブプログラム、プログラム、ルーチン、サブルーチン、モジュール、ソフトウエアパッケージ、クラス、又は命令、データ構造、又はプログラムステートメントのあらゆる組合せを表すとすることができる。コードセグメントは、情報、データ、引数、パラメータ、又はメモリ内容を渡す及び／又は受け入れることによって別のコードセグメント又はハードウエア回路に結合することができる。
【００２５】
非一時的機械可読媒体は、更に、本明細書で説明する技術をプロセッサに実施させることになるプログラムモジュール及びデータ構造のような適切なコンピュータ命令セットを含む半導体メモリ、磁気ディスク、及び光ディスクのようなコンピュータ可読担体のいずれかの有形形態の範囲で具現化されるものと考えることができる。コンピュータ可読媒体は、１又は２以上のワイヤを有する電気接続部、磁気ディスクストレージ、磁気カセット、磁気テープ、又は他の磁気ストレージデバイス、携帯コンピュータディスケット、ランダムアクセスメモリ（ＲＡＭ）、読取専用メモリ（ＲＯＭ）、消去可能プログラム可能読取専用メモリ（例えば、ＥＰＲＯＭ、ＥＥＰＲＯＭ、又はフラッシュメモリ）、又は情報を格納することができるあらゆる他の有形媒体を含むことができる。本明細書では本発明の開示のシステムを特定の機能を実施する様々なモジュール及びユニットを有するものとして例示し、解説することに注意しなければならない。
【００２６】
これらのモジュール及びユニットは、明瞭化の目的でその機能に基づいて例示するものに過ぎず、必ずしも特定のハードウエア又はソフトウエアを表すわけではないことを理解しなければならない。この点に関して、これらのモジュール、ユニット、及び他の構成要素は、本明細書で説明する特定の機能を実質的に実行するように実施されたハードウエア及び／又はソフトウエアとすることができる。異なる構成要素の様々な機能は、ハードウエアモジュール及び／又はソフトウエアモジュールとしてあらゆる方式で組み合わせるか又は分離することができ、個別又は組合せで有用であるとすることができる。システムには、キーボード、ディスプレイ、及びポインティングデバイスなどを含むがこれらに限定されない入力／出力デバイス又はＩ／Ｏデバイス、又はユーザインタフェースを直接的か又は介在するＩ／Ｏコントローラを通してかのいずれかで結合することができる。従って、本発明の開示の様々な態様は、多くの異なる形態に具現化することができ、全てのそのような形態が本発明の開示の範囲にあるように考えられている。
【００２７】
図４〜図７は、全体的に１００で示す本発明の開示の例示的実施形態による第１の装置を示している。装置１００は、頭部３４の額３０上の眉２８及び耳３６の上方の場所に位置決めされ、少なくとも部分的にそこに支持されるように構成される。装置１００は、固定ストラップ１０４と支持ストラップ１０６とを含むように構成された支持装置１０２を含むように構成される。固定ストラップ１０４は、装置１００を頭部３４に固定するためのデバイス又は機構を有するように更に構成される。例えば、固定ストラップ１０４は、装置１００を頭部３４上に位置決めしてそこに固定することを可能にするように延伸する弾性ストラップとして構成することができる。別の実施形態では、固定ストラップ１０４は、バックル配置又は面ファスナ装置のような締結装置１０８を含むように構成することができる。
【００２８】
支持装置１０２は、頭部３４の加熱及び／又は冷却を提供するために頭部３４のうちで関連する側頭部３８に接触するように構成かつ位置決めされた例えば加熱パッド、熱電デバイス、抵抗デバイス等とすることができる１又は２以上の温度変更デバイス１１０、制御デバイス１１２、装置１００の電動要素に電力を提供するように構成された電源１２４、並びに被検者又は患者４０以外の同じくユーザである可能性がある個人に情報を提供するためにディスプレイ又は可聴出力などを含むことができるモニタデバイス１２６のような複数の要素を位置付けて位置決めするように構成される。中心１２８に位置決めされた制御デバイス１１２は、ＡＢＴＴ終端１０上に位置決めされるように構成されて可撓性、移動可能、又は位置決め可能な支持体１１６によって制御デバイス１１２に接続することができる１又は２以上の温度センサ１１４を支持するように構成される。制御デバイス１１２は、電力／制御スイッチ１１８、ディスプレイ１２０、１又は２以上の入力又は調節制御器１２２のような１又は２以上の制御特徴要素を含むように構成することができる。ヘッドバンドとして説明することができる支持装置１０２の中心１２８によって支持された特殊センサ１１４は、センサアセンブリ１３０の一部である。センサアセンブリ１３０は、１又は２以上のアーム１３２を含む。各センサ１１４は、対応するアーム１３２に沿って又は対応するアーム１３２の遠位端に位置決めされる。ＡＢＴＴ終端１０からの信号を感受する時には、センサ１１４は、一方の眼３２と対応する眉２８の間に位置決めされる。２つのセンサ１１４を示すが、１つのセンサ１１４だけを使用することができ、それが本発明の範囲にあることを理解しなければならない。
【００２９】
作動時に、装置１００は、センサ１１４を通してＡＢＴＴ終端１０の温度を読み取る。制御デバイス１１２は、被検者又は患者４０の温度の変更を必要とする病態が存在するか否かを決定する。制御デバイス１１２又はそれと通信する個別の電子デバイス（図示せず）のいずれかによって決定された結果としてそのような処置が必要である場合に、好ましくは、右側頭部３８及び左側頭部３８の加熱及び／又は冷却を提供するために、ＡＢＴＴ終端１０の温度の継続的同時モニタと共に１又は２以上の温度変更デバイス１１０が起動される。温度の変更は、ＡＢＴＴ終端１０での温度が望ましい値に達するまで又は予め決められた時間間隔が経過するまで続く。
【００３０】
図８及び図９は、全体的に１５０で示す本発明の開示の例示的実施形態による第２の装置を示している。装置１５０は、頭部３４の額３０上の眉２８及び耳３６の上方の場所に位置決めされ、少なくとも部分的にそこに支持されるように構成される。装置１５０は、固定ストラップ１５４と支持ストラップ１５６とを含むように構成された支持装置１５２を含むように構成される。固定ストラップ１５４は、装置１００を頭部３４に固定するためのデバイス又は機構を有するように更に構成される。例えば、固定ストラップ１５４は、装置１５０を頭部３４上に位置決めしてそこに固定することを可能にするように延伸する弾性ストラップとして構成することができる。別の実施形態では、固定ストラップ１５４は、バックル配置又は面ファスナ装置のような締結装置１５８を含むように構成することができる。
【００３１】
ヘッドバンドとして説明することができる支持装置１５２は、制御デバイス１６２と、装置１５０の電動要素に電力を供給し、更に、例えば、制御デバイス１６２への入力によって変更されるように装置１５０の要素を制御する電源／制御システム１７４とのような複数の要素を支持して位置決めする。制御デバイス１６２は、装置１５０の中心１６８に位置決めされる。制御デバイス１６２は、眼３２と対応する眉２８の間にあるＡＢＴＴ終端１０上に位置決めされるように構成された１又は２以上の特殊温度センサ１６４を支持する。温度センサ１６４は、可撓性、移動可能、又は位置決め可能な支持体又はアーム１６６によって制御デバイス１６２に接続される。制御デバイス１６２は、図５に示すもののような１又は２以上の制御特徴要素を含むように構成することができる。２つのセンサを示すが、１つのセンサだけを使用することができ、それが本発明の範囲にあることを理解しなければならない。
【００３２】
装置１５０は、例えば、加熱パッド、熱電デバイス、抵抗デバイス、保熱材料等とすることができる１又は２以上の温度変更デバイス１６０を更に含む。温度変更デバイス１６０は、それ自体を首４２に沿って走り、耳３６の背後の領域から首４２に沿って延びる血管の領域と接合させる寸法及び構成を含み、これらの領域の面の近くの血管に加熱又は冷却を提供する。これらの寸法及び構成は、首を走り抜ける血管との熱伝達を最大にする位置に温度変更デバイスを位置決めするので、特殊な寸法及び構成として説明することができる。温度変更デバイス１６０は、例えば、ケーブル１７６によって電源／制御システム１７４に接続される。温度変更デバイス１６０の場所は、これらのデバイス１６０に隣接する区域内の血管を通って流れる血液に冷却及び／又は加温が与えられ、それによって頭部３４、更に最終的に脳に冷却が与えられるようなものである。温度変更デバイス１６０は、接着及び接着剤を含む多くの手法で被検者又は患者４０の皮膚に接着させることができる。図４〜図７に示す温度変更デバイス１１０は、装置１５０と併用することができることを理解しなければならない。
【００３３】
作動時に、装置１５０は、センサ１６４を通してＡＢＴＴ終端１０の温度を読み取る。センサ１６４は、ＡＢＴＴ終端１０の温度を表す信号を送信又は伝達する。制御デバイス１６２は、温度信号を受信してこれらの温度信号を解析する。制御デバイス１６２による温度信号の解析は、温度の変更による被検者又は患者４０の処置を必要とする患者又は被検者４０の病態が存在するか否かを決定する。制御デバイス１６２又はそれと通信する個別の電子デバイス（図示せず）のいずれかによって決定された結果としてそのような処置が必要である場合に、好ましくは、右頸動脈及び左頸動脈の加熱及び／又は冷却を提供するために、ＡＢＴＴ終端１０の温度の継続的同時モニタと共に１又は２以上の温度変更デバイス１６０が起動される。温度の変更は、ＡＢＴＴ終端１０での温度が望ましい値に達するまで又は予め決められた時間間隔が経過するまで続く。
【００３４】
温度変更デバイス１６０は、脳に熱信号を提供する身体領域を明らかにし、かつ脳に熱信号を提供するこれらの区域を回避しなければならないことを明らかにした本出願人による研究の結果として特殊な寸法を有する。これらの区域は、脳によって周囲温度に対する熱受容体として認識され、従って、これらの区域内で過度の熱が検出されると、脳は身体に対して冷却する命令を伝達することになる。従って、例えば、従来技術では、暑い人が冷まそうと望んだ場合に、この人は額に低温パッドを貼るが、脳は、「冷却」信号を身体が低温であると捉えて、熱を保持することになり、体熱を更に悪化させる。従って、例えば、額のような本出願人が気付いたある一定の区域内では、冷やそうと望んだ場合であっても、加温パッドを貼らなければならない。本出願人が明らかにした別の重大な態様は、血管の周りの区域が脳に信号を伝達し、従って、これらの区域を回避しなければならないということである。従って、例えば、首を冷却又は加熱するのに使用される温度変更デバイス１６０は、頸動脈を正確に覆うが、首４２のうちで頸動脈から離れた大きい区域に接触するのを回避するように構成される。解剖学的構造及び生理学的機能を考慮して、温度変更デバイス１６０の構成は、頸動脈区域との接触を最大にするが、首４２の他の区域を回避する実質的に矩形形状又は長楕円形状、又は更に楕円形状を含む。頸動脈の解剖学的構造を考慮して、矩形の長さは、耳３６の耳朶から鎖骨１７８の上面までの線を網羅する。頸動脈及び首の熱受容体の解剖学的構造及び生理学的機能を考慮して、矩形の好ましい長さは、２０５ｍｍから１２５ｍｍの範囲、より好ましくは、２００ｍｍから１３０ｍｍの範囲、更に好ましくは、１９０ｍｍから１４０ｍｍの範囲、更に最も好ましくは、１８５ｍｍから１４５ｍｍの範囲にある。頸動脈及び首の熱受容体の解剖学的構造及び生理学的機能を考慮して、矩形の好ましい幅は、８０ｍｍ、より好ましくは、４５ｍｍ、更に好ましくは、３０ｍｍ、更に最も好ましくは、１５ｍｍである。頸動脈及び椎骨動脈の解剖学的構造及び生理学的機能を考慮して、矩形の好ましい幅は、９５ｍｍ、より好ましくは、６０ｍｍ、更に好ましくは、４５ｍｍ、更に最も好ましくは、３０ｍｍである。このようにして、主要血管、例えば、頸動脈及び椎骨動脈の上で温度変更デバイス１６０の露出が最大にされ、一方、熱受容体を含む他の区域が回避される。
【００３５】
脳を冷却又は加温するための温度変更デバイス１６０の温度レベルは以下の通りである。温度変更デバイス１６０の好ましい温度範囲は、セ氏０度とセ氏５０度の間、より好ましくはセ氏５度とセ氏４５度の間、更に好ましくはセ氏１０度とセ氏４０度の間、更に最も好ましくはセ氏１２度とセ氏３８度の間にある。温度変更デバイス１６０の温度レベルは、ＡＢＴＴ１２のターゲット温度によって決定される。温度変更デバイス１６０に関して提示した温度範囲は、本明細書で説明する他の実施形態に対して使用することができることを理解しなければならない。図１０〜図１１は、全体的に２００で示す本発明の開示の例示的実施形態による第３の装置を示している。装置２００は、頭部３４の額３０上の眉２８及び耳３６の上方の場所に位置決めされ、少なくとも部分的にそこに支持されるように構成される。装置２００は、固定ストラップ２０４と支持ストラップ２０６とを含むように構成された支持装置２０２を含むように構成される。固定ストラップ２０４は、装置２００を頭部３４に固定するためのデバイス又は機構を有するように更に構成される。例えば、固定ストラップ２０４は、装置２００を頭部３４上に位置決めしてそこに固定することを可能にするように延伸する弾性ストラップとして構成することができる。別の実施形態では、固定ストラップ２０４は、バックル配置又は面ファスナ装置のような締結装置２０８を含むように構成することができる。
【００３６】
支持装置２０２は、制御デバイス２１２と、装置２００の電動要素に電力を供給し、更に、例えば、制御デバイス２１２への入力によって変更される装置２００の要素の制御を提供するように構成された電源／制御システム２２４とのような複数の要素を位置付けて位置決めするように構成される。制御デバイス２１２は、ＡＢＴＴ終端１０上に位置決めされるように構成されて可撓性、移動可能、又は位置決め可能な支持体２１６によって制御デバイス２１２に接続することができる１又は２以上の温度センサ２１４を支持するように構成される。制御デバイス２１２は、図５に示すもののような１又は２以上の制御特徴要素を含むように構成することができる。
【００３７】
例えば、加熱パッド、熱電デバイス等とすることができる１又は２以上の温度変更デバイス２１０は、耳３６の背後の領域から首４２に沿って延び、次に、肩４４に沿って延びてこれらの領域の面の近くにある血管に加熱又は冷却を提供するように位置決めされる。温度変更デバイス２１０は、例えば、ケーブル２２６によって電源／制御システム２２４に接続される。温度変更デバイス２１０の場所は、これらのデバイス２１０に隣接する区域内の血管を通って流れる血液に冷却及び／又は加温が与えられ、それによって頭部３４、更に最終的に脳に冷却が与えられるようなものである。温度変更デバイス２１０は、接着及び接着剤を含む多くの手法で被検者又は患者４０の皮膚に接着させることができる。図４〜図７に示す温度変更デバイス１１０は、装置２００と併用することができることを理解しなければならない。
【００３８】
作動時に、装置２００は、センサ２１４を通してＡＢＴＴ終端１０の温度を読み取り、センサ２１４は、ＡＢＴＴ終端１０を表す信号を送信する。制御デバイス２１２は、温度信号を受信してこれらの温度信号を解析し、被検者又は患者４０の温度の変更を必要とする被検者又は患者４０の病態が存在するか否かを決定する。制御デバイス２１２又はそれと通信する個別の電子デバイス（図示せず）のいずれかによって決定された結果としてそのような処置が必要である場合に、好ましくは、右頸動脈及び左頸動脈、並びに右鎖骨下領域２１８及び左鎖骨下領域２１８（肩４４に隣接する）内に延びる場所の加熱及び／又は冷却を提供するために、ＡＢＴＴ終端１０の温度の継続的同時モニタと共に１又は２以上の温度変更デバイス２１０が起動される。温度の変更は、ＡＢＴＴ終端１０での温度が望ましい値に達するまで又は予め決められた時間間隔が経過するまで続く。
【００３９】
図１２及び図１３は、全体的に２５０で示す本発明の開示の例示的実施形態による第４の装置を示している。装置２５０は、頭部３４の額３０上の眉２８及び耳３６の上方の場所に位置決めされ、少なくとも部分的にそこに支持されるように構成される。装置２５０は、固定ストラップ２５４と支持ストラップ２５６とを含むように構成された支持装置２５２を含むように構成される。固定ストラップ２５４は、装置２５０を頭部３４に固定するためのデバイス又は機構を有するように更に構成される。例えば、固定ストラップ２５４は、装置２５０を頭部３４上に位置決めしてそこに固定することを可能にするように延伸する弾性ストラップとして構成することができる。別の実施形態では、固定ストラップ２５４は、バックル配置又は面ファスナ装置のような締結装置２５８を含むように構成することができる。
【００４０】
支持装置２５２は、制御デバイス２６２と、装置２５０の電動要素に電力を供給し、更に、例えば、制御デバイス２６２への入力によって変更される装置２５０の要素の制御を提供するように構成された電源／制御システム２７４とのような複数の要素を位置付けて位置決めするように構成される。制御デバイス２６２は、ＡＢＴＴ終端１０上に位置決めされるように構成されて可撓性、移動可能、又は位置決め可能な支持体２６６によって制御デバイス２６２に接続することができる１又は２以上の温度センサ２６４を支持するように構成される。制御デバイス２６２は、図５に示すもののような１又は２以上の制御特徴要素を含むように構成することができる。
【００４１】
例えば、加熱パッド、熱電デバイス等とすることができる１又は２以上の温度変更デバイス２６０は、耳３６の下の領域から首４２に沿って延び、次に、肩４４に沿って延び、胸部４６の中心部分を横断して延びてこれらの領域の面の近くにある血管に加熱又は冷却を提供するように位置決めされる。温度変更デバイス２６０は、例えば、ケーブル２７６によって電源／制御システム２７４に接続される。温度変更デバイス２６０の場所は、このデバイス２６０に隣接する区域内の血管を通って流れる血液に冷却及び／又は加温が与えられ、それによって頭部３４、更に最終的に脳に冷却が与えられるようなものである。温度変更デバイス２６０は、接着及び接着剤を含む多くの手法で被検者又は患者４０の皮膚に接着させることができる。図４〜図７に示す温度変更デバイス１１０は、装置２５０と併用することができることを理解しなければならない。
【００４２】
作動時に、装置２５０は、センサ２６４を通してＡＢＴＴ終端１０の温度を読み取る。制御デバイス２６２は、被検者又は患者４０の温度の変更を必要とする病態が存在するか否かを決定する。制御デバイス２６２又はそれと通信する個別の電子デバイス（図示せず）のいずれかによって決定された結果としてそのような処置が必要である場合に、加熱及び／又は冷却を提供するために、ＡＢＴＴ終端１０の温度の継続的同時モニタと共に１又は２以上の温度変更デバイス２６０が起動される。温度の変更は、ＡＢＴＴ終端１０での温度が望ましい値に達するまで又は予め決められた時間間隔が経過するまで続く。
【００４３】
図１４〜図１６は、全体的に３００で示す本発明の開示の例示的実施形態による第５の装置を示している。装置３００は、頭部３４の額３０上の眉２８及び耳３６の上方の場所に位置決めされ、少なくとも部分的にそこに支持されるように構成される。装置３００は、固定ストラップ３０４と支持ストラップ３０６とを含むように構成された支持装置３０２を含むように構成される。固定ストラップ３０４は、装置３００を頭部３４に固定するためのデバイス又は機構を有するように更に構成される。例えば、固定ストラップ３０４は、装置３００を頭部３４上に位置決めしてそこに固定することを可能にするように延伸する弾性ストラップとして構成することができる。別の実施形態では、固定ストラップ３０４は、バックル配置又は面ファスナ装置のような締結装置３０８を含むように構成することができる。
【００４４】
支持装置３０２は、制御デバイス３１２と、装置３００の電動要素に電力を供給し、更に、例えば、制御デバイス３１２への入力によって変更される装置３００の要素の制御を提供するように構成された電源／制御システム３２４とのような複数の要素を位置付けて位置決めするように構成される。制御デバイス３１２は、ＡＢＴＴ終端１０上に位置決めされるように構成されて可撓性、移動可能、又は位置決め可能な支持体３１６によって制御デバイス３１２に接続することができる１又は２以上の温度センサ３１４を支持するように構成される。制御デバイス３１２は、図５に示すもののような１又は２以上の制御特徴要素を含むように構成することができる。
【００４５】
例えば、加熱パッド、熱電デバイス等とすることができる１又は２以上の温度変更デバイス３１０は、首４２の後面に沿って延びてこの領域の面の近くにある血管に加熱又は冷却を提供するように位置決めされる。温度変更デバイス３１０は、例えば、ケーブル３２６によって電源／制御システム３２４に接続される。温度変更デバイス３１０の場所は、このデバイス３１０に隣接する区域内の血管を通って流れる血液に冷却及び／又は加温が与えられ、それによって頭部３４、更に最終的に脳に冷却が与えられるようなものである。温度変更デバイス３１０は、接着及び接着剤を含む多くの手法で被検者又は患者４０の皮膚に接着させることができる。図４〜図７に示す温度変更デバイス１１０を装置３００と併用することができることを理解しなければならない。
【００４６】
作動時に、装置３００は、センサ３１４を通してＡＢＴＴ終端１０の温度を読み取り、センサ３１４は、ＡＢＴＴ終端１０の温度を表す信号を送信する。制御デバイス３１２は、温度信号を受信し、これらの温度信号から被検者又は患者４０が病態を処置するための温度の変更を必要とするか否かを決定する。制御デバイス３１２又はそれと通信する個別の電子デバイス（図示せず）のいずれかによって決定された結果としてそのような処置が必要である場合に、好ましくは、首４２の後面への椎骨動脈に沿った加熱及び／又は冷却を提供するために、ＡＢＴＴ終端１０の温度の継続的同時モニタと共に１又は２以上の温度変更デバイス３１０が起動される。温度の変更は、ＡＢＴＴ終端１０での温度が望ましい値に達するまで又は予め決められた時間間隔が経過するまで続く。
【００４７】
図１７及び図１８は、全体的に３５０で示す本発明の開示の例示的実施形態による第６の装置を示している。装置３５０は、頭部３４の額３０上の眉２８及び耳３６の上方の場所に位置決めされ、少なくとも部分的にそこに支持されるように構成される。装置３５０は、固定ストラップ３５４と支持ストラップ３５６とを含むように構成された支持装置３５２を含むように構成される。固定ストラップ３５４は、装置３５０を頭部３４に固定するためのデバイス又は機構を有するように更に構成される。例えば、固定ストラップ３５４は、装置３５０を頭部３４上に位置決めしてそこに固定することを可能にするように延伸する弾性ストラップとして構成することができる。別の実施形態では、固定ストラップ３５４は、バックル配置又は面ファスナ装置のような締結装置３５８を含むように構成することができる。
【００４８】
支持装置３５２は、頭部３４の加熱及び／又は冷却を提供するために頭部３４のうちで関連する側頭部３８に接触するように構成されて位置決めされた例えば加熱パッド、熱電デバイス等とすることができる１又は２以上の温度変更デバイス３６０、制御デバイス３６２、並びに装置３５０の電動要素に電力を供給し、更に、例えば、制御デバイス３６２への入力によって変更される装置３５０の要素の制御を提供するように構成された電源／制御システム３７４のような複数の要素を位置付けて位置決めするように構成される。制御デバイス３６２は、ＡＢＴＴ終端１０上に位置決めされるように構成されて可撓性、移動可能、又は位置決め可能な支持体３６６によって制御デバイス３６２に接続することができる１又は２以上の温度センサ３６４を支持するように構成される。制御デバイス３６２は、図５に示すもののような１又は２以上の制御特徴要素を含むように構成することができる。
【００４９】
例えば、加熱パッド、熱電デバイス等とすることができる別の温度変更デバイス３６８は、額３０を横断して延びて額３０の面の近くにある血管に加熱又は冷却を提供するように位置決めされる。温度変更デバイス３６８は、例えば、ケーブル３７６によって電源／制御システム３７４に接続される。温度変更デバイス３６８は、例えば、熱電デバイス３７２に及びそこから熱を伝達するための熱伝導パッド３７０を含むように構成される。温度変更デバイス３６８は、それ自体を額３０に取り付けるように構成された接着剤又は接着層３７８を含むように構成することができる。
【００５０】
温度変更デバイス３６０の場所は、このデバイス３６０に隣接する区域内の血管を通って流れる血液に冷却及び／又は加温が与えられ、それによって頭部３４、更に最終的に脳に冷却が与えられるようなものである。温度変更デバイス３６０は、接着及び接着剤を含む多くの手法で被検者又は患者４０の皮膚に接着させることができる。
【００５１】
作動時に、装置３５０は、センサ３６４を通してＡＢＴＴ終端１０の温度を読み取る。制御デバイス３６２は、被検者又は患者４０の温度の変更を必要とする病態が存在するか否かを決定する。制御デバイス３６２又はそれと通信する個別の電子デバイス（図示せず）のいずれかによって決定された結果としてそのような処置が必要である場合に、加熱及び／又は冷却を提供するために、ＡＢＴＴ終端１０の温度の継続的同時モニタと共に１又は２以上の温度変更デバイス３６０が起動される。温度の変更は、ＡＢＴＴ終端１０での温度が望ましい値に達するまで又は予め決められた時間間隔が経過するまで続く。
【００５２】
図１９〜図２０は、全体的に４００で示す本発明の開示の例示的実施形態による第７の装置を示している。装置４００は、頭部３４の額３０上の眉２８及び耳３６の上方の場所に位置決めされ、少なくとも部分的にそこに支持されるように構成される。装置４００は、固定ストラップ４０４と支持ストラップ４０６とを含むように構成された支持装置４０２を含むように構成される。固定ストラップ４０４は、装置４００を頭部３４に固定するためのデバイス又は機構を有するように更に構成される。例えば、固定ストラップ４０４は、装置４００を頭部３４上に位置決めしてそこに固定することを可能にするように延伸する弾性ストラップとして構成することができる。別の実施形態では、固定ストラップ４０４は、バックル配置又は面ファスナ装置のような締結装置４０８を含むように構成することができる。
【００５３】
支持装置４０２は、頭部３４の加熱及び／又は冷却を提供するために頭部３４のうちで関連する側頭部３８に接触するように構成されて位置決めされた例えば加熱パッド、熱電デバイス等とすることができる１又は２以上の温度変更デバイス４１０、制御デバイス４１２、並びに装置４００の電動要素に電力を供給し、更に、例えば、制御デバイス４１２への入力によって変更される装置４００の要素の制御を提供するように構成された電源／制御システム４２４のような複数の要素を位置付けて位置決めするように構成される。制御デバイス４１２は、ＡＢＴＴ終端１０上に位置決めされるように構成されて可撓性、移動可能、又は位置決め可能な支持体４１６によって制御デバイス４１２に接続することができる１又は２以上の温度センサ４１４を支持するように構成される。制御デバイス４１２は、図５に示すもののような１又は２以上の制御特徴要素を含むように構成することができる。
【００５４】
額３０の面の近くにある血管に冷却を提供するために、送風器の形態にある別の温度変更デバイス４１８が額３０上に位置決めされる。温度変更デバイス４１８は、例えば、ケーブル４２６によって電源／制御システム４２４に接続される。
【００５５】
温度変更デバイス４１０及び４１８の場所は、これらのデバイス４１０及び４１８に隣接する区域内の血管を通って流れる血液に冷却及び／又は加温が与えられ、それによって頭部３４、更に最終的に脳に冷却及び／又は加温が与えられるようなものである。温度変更デバイス４１８は、接着及び接着剤を含む多くの手法で被検者又は患者４０の皮膚に接着させることができる。
【００５６】
作動時に、装置４００は、センサ４１４を通してＡＢＴＴ終端１０の温度を読み取る。制御デバイス４１２は、被検者又は患者４０の温度の変更を必要とする病態が存在するか否かを決定する。制御デバイス４１２又はそれと通信する個別の電子デバイス（図示せず）のいずれかによって決定された結果としてそのような処置が必要である場合に、加熱及び／又は冷却を提供するために、ＡＢＴＴ終端１０の温度の継続的同時モニタと共に１又は２以上の温度変更デバイス４１０及び４１８が起動される。温度の変更は、ＡＢＴＴ終端１０での温度が望ましい値に達するまで又は予め決められた時間間隔が経過するまで続く。
【００５７】
図２１及び図２２は、全体的に４５０で示す本発明の開示の例示的実施形態による第８の装置を示している。装置４５０は、頭部３４の額３０上の眉２８及び耳３６の上方の場所に位置決めされ、少なくとも部分的にそこに支持されるように構成される。装置４５０は、固定支持ストラップ４５４を含むように構成された支持装置４５２を含むように構成される。固定支持ストラップ４５４は、装置４５０を頭部３４に固定するためのデバイス又は機構を有するように更に構成される。例えば、固定支持ストラップ４５４は、装置４５０を頭部３４上に位置決めしてそこに固定することを可能にするように延伸する弾性ストラップとして構成することができる。別の実施形態では、固定支持ストラップ４５４は、バックル配置又は面ファスナ装置のような締結装置４５８を含むように構成することができる。
【００５８】
支持装置４５２は、頭部３４の加熱及び／又は冷却を提供するために頭部３４の額３０に接触するように構成されて位置決めされた例えば加熱パッド、熱電デバイス等とすることができる１又は２以上の温度変更デバイス４６０、制御デバイス４６２、及び装置４５０の電動要素に電力を供給し、更に、例えば、制御デバイス４６２への入力によって変更される装置４５０の要素の制御を提供するために温度変更デバイス４６０と併置されるように構成された電源／制御システム４６４のような複数の要素を位置付けて位置決めするように構成される。制御デバイス４６２は、ＡＢＴＴ終端１０上に位置決めされるように構成されて可撓性、移動可能、又は位置決め可能な支持体４６６によって制御デバイス４６２に接続することができる１又は２以上の温度センサ４６４を支持するように構成される。制御デバイス４６２は、図５に示すもののような１又は２以上の制御特徴要素を含むように構成することができる。
【００５９】
装置４５０は、図２１及び図２２の構成では装置４５０に組み込まれた挿管デバイス４７２を含むように構成された顔面マスク４７０を含むように更に構成される。
【００６０】
温度変更デバイス４６０の場所は、このデバイス４６０に隣接する区域内の血管を通って流れる血液に冷却及び／又は加温が与えられ、それによって頭部３４、更に最終的に脳に冷却及び／又は加温が与えられるようなものである。
【００６１】
作動時に、装置４５０は、センサ４６４を通してＡＢＴＴ終端１０の温度を読み取る。制御デバイス４６２は、被検者又は患者４０の温度の変更を必要とする病態が存在するか否かを決定する。制御デバイス４６２又はそれと通信する個別の電子デバイス（図示せず）のいずれかによって決定された結果としてそのような処置が必要である場合に、加熱及び／又は冷却を提供するために、ＡＢＴＴ終端１０の温度の継続的同時モニタと共に温度変更デバイス４６０が起動される。温度の変更は、ＡＢＴＴ終端１０での温度が望ましい値に達するまで又は予め決められた時間間隔が経過するまで続く。
【００６２】
図２３及び図２４は、全体的に５００で示す本発明の開示の例示的実施形態による第９の装置を示している。装置５００は、頭部３４の額３０上の眉２８及び耳３６の上方の場所に位置決めされ、少なくとも部分的にそこに支持されるように構成される。装置５００は、固定支持ストラップ５０４を含むように構成された支持装置５０２を含むように構成される。固定支持ストラップ５０４は、装置５００を頭部３４に固定するためのデバイス又は機構を有するように更に構成される。例えば、固定支持ストラップ５０４は、装置５００を頭部３４上に位置決めしてそこに固定することを可能にするように延伸する弾性ストラップとして構成することができる。別の実施形態では、固定支持ストラップ５０４は、バックル配置又は面ファスナ装置のような締結装置５０８を含むように構成することができる。
【００６３】
支持装置５０２は、頭部３４の加熱及び／又は冷却を提供するために頭部３４の額３０に接触するように構成されて位置決めされた例えば加熱パッド、熱電デバイス等とすることができる温度変更デバイス５１０、制御デバイス５１２、並びに装置５００の電動要素に電力を供給し、更に、例えば、制御デバイス５１２への入力によって変更される装置５００の要素の制御を提供するための電源／制御システム５２４のような複数の要素を位置付けて位置決めするように構成される。装置５００は、温度変更デバイス５１０、制御デバイス５１２、及び電源／制御システム５２４のような装置５００の１又は２以上の要素を位置決めして位置付けるように構成された額支持体５０６を含むように構成することができる。額支持体５０６は、ＡＢＴＴ終端１０上に位置決めされるように構成されて可撓性、移動可能、又は位置決め可能な支持体５１６によって制御デバイス５１２に接続することができる１又は２以上の温度センサ５１４を支持するように更に構成される。制御デバイス５１２は、図５に示すもののような１又は２以上の制御特徴要素を含むように構成することができる。
【００６４】
温度変更デバイス５１０の場所は、このデバイス５１０に隣接する区域内の血管を通って流れる血液に冷却及び／又は加温が与えられ、それによって頭部３４、更に最終的に脳に冷却及び／又は加温が与えられるようなものである。
【００６５】
作動時に、装置５００は、センサ５１４を通してＡＢＴＴ終端１０の温度を読み取る。制御デバイス５１２は、被検者又は患者４０の温度の変更を必要とする病態が存在するか否かを決定する。制御デバイス５１２又はそれと通信する個別の電子デバイス（図示せず）のいずれかによって決定された結果としてそのような処置が必要である場合に、加熱及び／又は冷却を提供するために、ＡＢＴＴ終端１０の温度の継続的同時モニタと共に温度変更デバイス５１０が起動される。温度の変更は、ＡＢＴＴ終端１０での温度が望ましい値に達するまで又は予め決められた時間間隔が経過するまで続く。
【００６６】
図２５〜図２７は、全体的に５５０で示す本発明の開示の例示的実施形態による第１０の装置を示している。装置５５０は、頭部３４の額３０上の眉２８及び耳３６の上方の場所に位置決めされ、少なくとも部分的にそこに支持されるように構成される。装置５５０は、固定支持ストラップ５５４を含むように構成された支持装置５５２を含むように構成される。固定支持ストラップ５５４は、装置５５０を頭部３４に固定するためのデバイス又は機構を有するように更に構成される。例えば、固定支持ストラップ５５４は、装置５５０を頭部３４上に位置決めしてそこに固定することを可能にするように延伸する弾性ストラップとして構成することができる。別の実施形態では、固定支持ストラップ５５４は、バックル配置又は面ファスナ装置のような締結装置５５８を含むように構成することができる。
【００６７】
支持装置５５２は、頭部３４の加熱及び／又は冷却を提供するために頭部３４の額３０に接触するように構成されて位置決めされた例えば加熱パッド、熱電デバイス等とすることができる温度変更デバイス５６０、制御デバイス５６２、並びに装置５５０の電動要素に電力を供給し、更に、例えば、制御デバイス５６２への入力によって変更される装置５５０の要素の制御を提供するための電源／制御システム５７４のような複数の要素を位置付けて位置決めするように構成される。装置５５０は、温度変更デバイス５６０、制御デバイス５６２、及び電源／制御システム５７４のような装置５５０の１又は２以上の要素を位置決めして位置付けるように構成された額支持体５５６を含むように構成することができる。額支持体５５６は、ＡＢＴＴ終端１０上に位置決めされるように構成されて可撓性、移動可能、又は位置決め可能な支持体５６６によって制御デバイス５６２に接続することができる１又は２以上の温度センサ５６４を支持するように更に構成される。制御デバイス５６２は、図５に示すもののような１又は２以上の制御特徴要素を含むように構成することができる。
【００６８】
温度変更デバイス５６０の場所は、このデバイス５６０に隣接する区域内の血管を通って流れる血液に冷却及び／又は加温が与えられ、それによって頭部３４、更に最終的に脳に冷却及び／又は加温が与えられるようなものである。温度変更デバイス５６０は、眉２８の下又は下方にある眼腔４８の区域に接触するように構成されたフラップ又は延長部５７０を含むように構成することができる。従って、本発明の開示の他の実施形態の場合にもそうであるが、温度変更デバイス５６０は、頭部３４の顔面部分５０を含む頭部３４の特徴に共形である。
【００６９】
作動時に、装置５５０は、センサ５６４を通してＡＢＴＴ終端１０の温度を読み取り、センサ５６４は、ＡＢＴＴ終端１０の温度を表す信号を送信する。制御デバイス５６２は、温度信号を受信し、これらの温度信号から被検者又は患者４０が病態又は疾病を処置するための温度の変更を必要とするか否かを決定する。制御デバイス５６２又はそれと通信する個別の電子デバイス（図示せず）のいずれかによって決定された結果としてそのような処置が必要である場合に、加熱及び／又は冷却を提供するために、ＡＢＴＴ終端１０の温度の継続的同時モニタと共に温度変更デバイス５６０が起動される。温度の変更は、ＡＢＴＴ終端１０での温度が望ましい値に達するまで又は予め決められた時間間隔が経過するまで続く。
【００７０】
本発明の開示の例示的実施形態による温度変更デバイスは、多くの構成を取ることができる。本発明の開示による第１の例示的な温度変更デバイス実施形態を図２８に示し、全体的に６００で示している。温度変更デバイス６００は、支持体６０２と、１又は２以上の作動制御器又はスイッチ６０４と、電源及び制御器６０６と、ＡＢＴＴ終端１０上に位置決めされるように構成された温度センサ６０８と、抵抗加熱要素６１０とを含むように構成される。温度変更デバイス６００の要素は、ケーブル６１２を通して互いに接続することができる。機能的には、温度センサ６０８からの温度信号がＡＢＴＴ終端１０を加熱する必要性を示す場合に、ＡＢＴＴ終端１０に熱を伝達するために、予め決められた温度又は設定温度に達したことを温度センサ６０８からの温度信号が示す時点まで又は予め決められた時間間隔の経過時点まで、１又は２以上の抵抗加熱要素６１０に電力が供給され、これらの時点で抵抗加熱要素６１０から電力が除去されることになる。
【００７１】
図２９は、全体的に６５０で示す本発明の開示による第２の例示的な温度変更デバイス実施形態の図を示している。温度変更デバイス６５０は、支持体６５２と、１又は２以上の作動制御器又はスイッチ６５４と、電源及び制御器６５６と、ＡＢＴＴ終端１０上に位置決めされるように構成された温度センサ６５８と、放射加熱要素６６０とを含むように構成される。温度変更デバイス６５０の要素は、ケーブル６５２を通して互いに接続することができる。機能的には、温度センサ６５８からの温度信号がＡＢＴＴ終端１０を加熱する必要性を示す場合に、ＡＢＴＴ終端１０に熱を伝達するために、予め決められた温度又は設定温度に達したことを温度センサ６５８からの温度信号が示す時点まで又は予め決められた時間間隔の経過時点まで、１又は２以上の放射加熱要素６６０に電力が供給され、これらの時点で抵抗加熱要素６１０から電力が除去されることになる。
【００７２】
図３０は、全体的に７００で示す本発明の開示による第３の例示的な温度変更デバイス実施形態の図を示している。温度変更デバイス７００は、支持体７０２と、１又は２以上の作動制御器又はスイッチ７０４と、電源及び制御器７０６と、ＡＢＴＴ終端１０上に位置決めされるように構成された温度センサ７０８と、複数の個々のゲルパック７１４を含むように構成することができるゲルパックアセンブリ７１０とを含むように構成される。温度変更デバイス７００の要素は、ケーブル７１２を通して互いに接続することができる。機能的には、温度変更デバイス７００は、被検者又は患者４０上に位置決めされる前にゲルパックアセンブリ７１０が加熱又は冷却される点で本明細書で本発明の開示する実施形態のうちの一部とは幾分異なる。すなわち、ゲルパックアセンブリ７１０は、制御器及びスイッチ７０４、並びに電源及び制御器７０６によって制御されず、これらは、代わりに、予め決められた温度又は設定温度に達したことを温度センサ７０８からの温度信号が示すこと又は予め決められた時間間隔が経過したことの表示を提供し、その時点で、ユーザ又は被検者は、ゲルパックアセンブリを被検者又は患者４０から除去する通知を受信することになる。
【００７３】
図３１は、全体的に７５０で示す本発明の開示による第４の例示的な温度変更デバイス実施形態の図を示している。温度変更デバイス７５０は、支持体７５２と、１又は２以上の作動制御器又はスイッチ７５４と、電源及び制御器７５６と、ＡＢＴＴ終端１０上に位置決めされるように構成された温度センサ７５８と、熱伝達アセンブリ７６０とを含むように構成される。温度変更デバイス７５０の要素は、ケーブル７６２を通して互いに接続することができる。
【００７４】
熱伝達アセンブリ７６０は、送風器７６４と、熱電デバイス、抵抗加熱器、予備加温又は予備冷却される要素等とすることができる温度変更要素７６６と、１又は２以上の流れ通路７６８と、流れ通路７６８と温度変更要素７６６の間を延びる接続通路７７０とを含むように構成される。
【００７５】
機能的には、温度センサ７５８からの温度信号がＡＢＴＴ終端１０を加熱する必要性を示す時に、加温することができてかつ冷却するように構成することができる温度変更要素７６６に電力が供給される。適切な加温期間又は冷却期間の後に、送風器７６４に電力が供給され、それによって接続通路７７０を通り、支持体７５２内に形成された流れ通路７８６内に入り込む加温空気又は冷却空気の流れが始まる。そのような加温流れ又は冷却流れは、予め決められた温度又は設定温度に達したことを温度センサ７５８からの温度信号が示した時点又は予め決められた時間間隔の経過時点まで続き、これらの時点で温度変更要素７６６及び送風器７６４から電力が除去されることになる。
【００７６】
図３２及び図３３は、全体的に８００で示す本発明の開示の例示的実施形態による第１１の装置を示している。装置８００は、頭部３４の額３０上で眉２８の上方にある場所に位置決めされ、少なくとも部分的にその上に支持され、部分的に少なくとも一方の耳３６によって支持される。装置８００は、例えば、セル電話、タブレット、ラップトップ等とすることができる個別の電子デバイス８２２に接続されるように構成される。装置８００は、１又は２以上のイヤバッド８０２と、マイクロフォン８０４と、制御デバイス８１２と、制御デバイス８１２によって支持された少なくとも１つの温度センサ８１４とを含むように構成される。温度センサ８１４は、ＡＢＴＴ終端１０上に位置決めされるように構成され、移動可能、可撓性、又は位置決め可能な支持体８１６によって制御デバイス８１２に接続することができる。装置８００は、制御デバイス８１２をイヤバッド８０２に接続するケーブル８０６と、イヤバッド８０２をマイクロフォン８０４に接続するケーブル８０８と、マイクロフォン８０４を個別の電子デバイス８２２に接続するケーブル８１０と、イヤバッド８０２を個別の電子デバイス８２２に接続するケーブル８１６とを更に含む。
【００７７】
装置８００は、頭部３４上にイヤバッド８０２と耳３６の接触によって部分的に支持され、頭部３４上で耳３６の上側の周りのケーブル８０６の配線及び制御デバイス８１２と額３０の接触によって部分的に支持される。制御デバイス３１２は、接着剤によって固定することができる。
【００７８】
作動時に、装置８００は、センサ８１４を通してＡＢＴＴ終端１０の温度を読み取る。制御デバイス８１２は、温度情報をケーブル８０６、８０８、及び８１０を通して個別の電子デバイス８２２に送信し、次に、個別の電子デバイス８２２は、温度情報を解析及び／又は報告する、後の使用に向けてこれらの情報を格納し、及び／又は解析、格納、及び／又は報告に向けて温度情報を別のデバイスに有線又は無線で送信することができる。温度センサ８１４とデバイス８２２のようないずれかの個別の電子デバイスとの間の通信は、無線に実施することができる。
【００７９】
図３４〜図３６は、全体的に８５０で示す本発明の開示の例示的実施形態による第１２の装置を示している。装置８５０は、頭部３４上に位置決めされ、それによって支持されるように構成され、図３４及び図３５に示す例示的実施形態では、そのような支持は耳３６によるものである。装置８５０は、二酸化炭素センサを含むマスク８５２を含むように構成される。マスク８５２は、患者又は被検者４０の鼻２６及び口を完全に覆い、耳３６上で延長可能又は拡張可能なストラップ８５４によって支持される。
【００８０】
マスク８５４は、ＡＢＴＴ終端１０上に位置決めされるように構成された温度センサアセンブリ８５６を支持して位置決めするように構成される。温度センサアセンブリ８５６は、ベース８５８と、ＡＢＴＴ終端１０との嵌合に向けて温度センサ８６０の再配置を可能にする可撓性支持体８６０によってベース８５８上に支持された１又は２以上の温度センサ８６０とを含むように構成される。
【００８１】
温度センサアセンブリ８５６は、その中に形成された合わせ特徴部８６８に接続又は取り付けるようにマスク８５２内に形成された開口部８６６を通って延びるように構成されたファスナ８６４によってマスク８５２に取り付けることができる。
【００８２】
作動時に、装置８５０は、センサ８６０を通してＡＢＴＴ終端１０の温度を読み取る。温度センサ８６０からの信号は、格納、解析、表示等に向けて図３２に示す個別の電子デバイス８２２のような個別の電子デバイスに無線又はケーブルによって送信される。
【００８３】
図３７は、全体的に９００で示す本発明の開示の例示的実施形態による第１３の装置を示している。装置９００は、鼻２６上に位置決めされ、それによって支持されるように構成される。装置９００は、空気流れアセンブリ９０２と、空気流れアセンブリ９０２にケーブル９０６を通して接続された温度センサアセンブリ９０４とを含むように構成される。
【００８４】
空気流れアセンブリ９０２は、マニホルド９０８と、鼻２６の開口部又は鼻孔内に挿入される鼻孔インタフェース９１０とを含む。マニホルド９０８は、遠隔ソースからマニホルド９０８に流動空気を搬送するように構成されたホース、チューブ、ライン等とすることができる１又は２以上の空気流れ通路９１２を通して温度制御された空気の遠隔ソースに接続される。空気流れアセンブリの機能は、補助呼吸が有益である場合に無呼吸、ＣＯＰＤ、及び他の呼吸病態を処置するための空気を含むことができる。
【００８５】
温度センサアセンブリ９０４は、装置９００の作動を制御するためのボタン、スイッチ、及び他の入力及び出力を含むことができる制御デバイス９１４と、ＡＢＴＴ終端１０上に位置決めされるように構成されて可撓性、移動可能、又は位置決め可能な支持体９１８によって制御デバイス９１４に接続された少なくとも１つの温度センサ９１６と、接着及び接着剤によって鼻２６に取り付けられるように構成され、更に鼻２６上で温度センサアセンブリ９０４の要素を支持するように構成された鼻インタフェース９２０とを含むように構成される。
【００８６】
機能的に、温度センサは、制御デバイス９１４に信号を送信する。次に、制御デバイス９１４は、無線で又は空気流れ通路９１２の一部として構成された有線接続によって遠隔電子デバイスに温度信号を送信することができ、又は温度センサ９１６からの温度信号を冷却又は加温の必要性に変換することができる。冷却又は加温の必要性が決定された状態で、鼻２６の鼻孔への送出に向けてマニホルド９０８内に、次に、鼻孔インタフェース９１０内に流れ込む冷却空気又は加温空気を空気流れ通路９１２を通して提供するために、空気流れシステムとして構成することができる遠隔電子デバイスに信号が送信される。従って、ＡＢＴＴ終端１０での温度を感知し、頭部３４の副鼻腔路に冷却空気又は加温空気を提供することによって頭部３４の脳の冷却をもたらすことができる。
【００８７】
図３９及び図４０は、全体的に９５０で示す本発明の開示の例示的実施形態による第１４の装置を示している。装置９５０は、１又は２以上のＡＢＴＴ終端１０の温度を測定し、これらの情報を個別の電子デバイスに送信するように構成された温度測定デバイスとして構成される。装置９５０は、鼻２６上に位置決めされ、それによって支持されるように構成された鼻インタフェース９５２と、鼻インタフェース９５２上に位置決めされ、それによって支持された送信機アセンブリ９５４と、それぞれのＡＢＴＴ終端１０と相互作用するように構成された温度センサ９５６とを含むように構成される。温度センサ９５６は、それぞれのＡＢＴＴ終端１０と相互作用するための各温度センサ９５６の移動を与えるように構成された可撓性、移動可能、又は位置決め可能な支持体９５８を通して送信機アセンブリ９５４に接続されるように構成される。
【００８８】
作動時に、装置９５０は、ＡＢＴＴ終端１０から温度センサ９５６を通して温度信号を受信する。これらの信号は、温度センサ９５６から送信機アセンブリ９５４に送信され、送信機アセンブリ９５４は、例えば、セル電話、タブレット、ラップトップ、腕時計、及び医療対応家電などとすることができる個別の電子デバイス９６０に解析、格納、通知等に向けてこれらの信号を送信する。
【００８９】
図４１及び図４２は、全体的に１０００で示す本発明の開示の例示的実施形態による第１５の装置を示している。装置１０００は、頭部３４上に位置決めされ、そこに支持されるように構成される。そのような支持は、ストラップによる頭部３４との摩擦把持、１つ又は２つの耳３６による支持、及び／又は鼻２６による支持を含むことができる。装置１０００は、固定支持ストラップ１００４を含むように構成された支持装置１００２を含むように構成される。固定支持ストラップ１００４は、装置１０００を頭部３４に固定するためのデバイス又は機構を有するように更に構成される。例えば、固定支持ストラップ１００４は、装置１０００を頭部３４上に位置決めしてそこに固定することを可能にするように延伸する弾性ストラップとして構成することができる。別の実施形態では、固定支持ストラップ１０００は、バックル配置又は面ファスナ装置のような締結装置１００８を含むように構成することができる。
【００９０】
支持装置１００２は、頭部３４の加熱及び／又は冷却を提供するために頭部３４のうちで眼３２と眉２８の間にある区域に接触するように構成されて位置決めされた例えば加熱パッド、熱電デバイス等とすることができる１又は２以上の温度変更デバイス１０１０、制御デバイス１０１２、並びに装置１０００の電動要素に電力を供給し、更に、例えば、制御デバイス１０１２への入力によって変更される装置１０００の要素の制御を提供するように構成された電源／制御システム１０１４のような複数の要素を位置付けて位置決めするように構成される。制御デバイス１０１２は、図５に示すもののような１又は２以上の制御特徴要素を含むように構成することができる。温度変更デバイス１０１０の場所は、このデバイス１０１０に隣接する区域内の血管を通って流れる血液に冷却及び／又は加温が与えられ、それによって頭部３４、更に最終的に脳に冷却及び／又は加温が与えられるようなものである。
【００９１】
支持装置１００２は、１又は２以上のレンズ１０１８を眼鏡構成又はサングラス構成の方式で支持するように構成される。支持装置は、ＡＢＴＴ終端１０からの温度信号を感受するためにそれぞれのＡＢＴＴ終端１０に接触するように各々が構成された１又は２以上の温度センサ１０２０を支持するように更に構成される。例示的実施形態では、各レンズ１０１８は、温度センサ１０２０をＡＢＴＴ終端１０の皮膚上に、それにわたって、又はそれに隣接して位置付けることを可能にするための切り込み、切欠き部、又は凹部１０２２を含むことができる。温度センサ１０２０は、ＡＢＴＴ終端１０上に位置決めするための温度センサ１０２０の調節を可能にするように構成された支持アーム１０２４及び可撓性、移動可能、又は位置決め可能な支持体１０２６を通して支持装置１００２と相互作用するように構成することができる。
【００９２】
作動時に、装置１０００は、ＡＢＴＴ終端１０の温度を示す又は表す信号を送信するセンサ１０２０を用いて１又は２以上のＡＢＴＴ終端１０の温度を読み取る。制御デバイス１０１２は、温度信号を受信し、この温度信号から被検者又は患者４０の疾患又は病態に照明して被検者又は患者４０が温度の変更を必要とするか否かを決定する。制御デバイス１０１２又はそれと通信する個別の電子デバイス（図示せず）によって決定された結果としてそのような処置が必要である場合に、加熱及び／又は冷却を提供するために、ＡＢＴＴ終端１０の温度の継続的同時モニタと共に温度変更デバイス１０１０が起動される。温度の変更は、ＡＢＴＴ終端１０での温度が望ましい値に達するまで又は予め決められた時間間隔が経過するまで続く。
【００９３】
図４３から図４７は、全体的に１１００で示す本発明の開示の例示的実施形態による第１６の装置を示している。図４３に示すように、装置１１００は、頭部３４上に位置決めされ、そこに支持されるようなサイズ及び寸法にされた薄いヘッドバンド１１０２として構成される。ヘッドバンド１１０２は、中心前部分１１０４と、中心後部分１１０６とを含む。中心前部分１１０４は、センサアセンブリ１１０８を含む。センサアセンブリ１１０８は、ヘッドバンド１１０２によって支持されたハウジング１１１０と、ハウジング１１１０に接続されたアーム１１１２とを含む。アーム１１１２は、ハウジング１１１０に対する少なくとも２つの位置又は向きを有する。第１の位置では、アーム１１１２は、ハウジング１１１０内に位置付けられるか又は形成されたスロット、溝、又は開口部１１１４内に位置決めされる。第２の位置では、アーム１１１２は、ヘッドバンド１１０２の軸１１１６に対して約４５度の角度で対角位置に向けられる。
【００９４】
アーム１１１２は、アーム１１１２の遠位端に位置決めされたセンサ１１１８を含む。ハウジング１１１０は、アーム１１１２をハウジング１１１０に回転可能に接続するヒンジとして簡単に説明することができる回転可能アンカー機構１１２０を含む。ヒンジ１１２０は、ＡＢＴＴ終端１０との位置合わせのためのアーム１１１２の移動を可能にする。中心後部分１１０６は、プロセッサ１１２４と、送信機又は送受信機１１２６と、非一時的メモリ１１２８と、電源１１３０とを位置決め又は支持するハウジング１１２２を含む。そのような支持は、ストラップによる頭部３４との摩擦把持、１つ又は２つの耳３６による支持、及び／又は鼻２６による支持を含むことができる。薄いヘッドバンド１１０２は、装置１１００を頭部３４に固定するように構成される。薄いヘッドバンド１１０２は、例えば、装置１１００を頭部３４上に位置決めしてそこに固定することを可能にするように延伸する弾性ストラップとすることができる。別の実施形態では、ヘッドバンド１１０２は、バックル配置又は面ファスナ装置のような締結装置１１３２を含むように構成することができる。図４４及び図４５は、回転可能又は移動可能なアーム１１１２を含むハウジング１１１０の詳細を示している。移動可能アーム１１１２は、好ましくは、ＡＢＴＴ終端１０への並置状態でのセンサ１１１８の位置決めに向けて形状記憶プラスチック、ワイヤ、及び曲げ可能金属などのような柔軟材料を用いて製造される。好ましくは、平坦ケーブルであるワイヤ（図示せず）は、中心前部分のハウジング１１１０を中心後部分１１０６に接続する。図４６は、アーム１１１２が鼻２６の鼻梁を横切って対角方向に位置決めされ、センサ１１１８がＡＢＴＴ終端１０に位置合わせされた状態でユーザ４０に着用されている装置１１００を示している。図４７は、アーム１１１２が眼鏡１１３４の下に着用されている状態にある装置１１００を示している。
【００９５】
図４８から図５１は、全体的に１１５０で示す本発明の開示の例示的実施形態による第１７の装置を示している。図４８に示すように、装置１１５０は、頭部３４上に位置決めされ、そこに支持されるようなサイズ及び寸法にされた薄いヘッドバンド１１５２を含む。薄いヘッドバンド１１５２は、中心前部分１１５４と、中心後部分１１５６とを含む。中心前部分１１５４は、センサアセンブリ１１５８を含む。センサアセンブリ１１５８は、ヘッドバンド１１５２によって支持されたハウジング１１６０と、ハウジング１１６０に接続又は取り付けられた少なくとも１つのアーム１１６２とを含む。各アーム１１６２は、ヘッドバンド１１５２の軸１１６４に対して約４５度の角度とすることができる対角の向きで位置決めされるように構成される。各アーム１１６２は、アーム１１６２の遠位端に位置決めされたセンサ１１６６を含む。ハウジング１１６０は、センサ１１６６とＡＢＴＴ終端１０との位置合わせのためのアーム１１６２の動きを可能にする回転可能アンカー機構又はヒンジ１１６８を含む。
【００９６】
中心後部分１１５６は、１又は２以上のハウジング１１７０を含む。ハウジング１１７０は、プロセッサ１１７２と、送信機又は送受信機７４と、非一時的メモリ１１７６と、電源又は電力供給器１１７８とを含む。ヘッドバンド１１５２のストラップは、頭部３４との摩擦把持、１つ又は２つの耳３６による支持、及び／又は鼻２６による支持を含むことができる。ヘッドバンド１１５２は、固定支持ストラップとして説明することができる。ヘッドバンド１１５２は、装置１１５０を頭部３４上に位置決めしてそこに固定することを可能にするように延伸する弾性ストラップとして構成することができる。別の実施形態では、ヘッドバンド１１５２は、バックル配置又は面ファスナ装置のような締結装置１１８０を含むことができる。図４８、図４９、及び図５１は、各々がそれぞれのアーム１１６２によってヘッドバンド１１５２に固定、取り付け、又は接続された２つのセンサ１１６６を有し、ユーザ４０によって着用されている装置１１５０の図である。各センサ１１６６は、脳温及び／又はグルコースのような生体信号を測定するように構成される。図５０は、セル電話のような遠隔デバイス１１８２に無線接続された送信機１１７４を中心後部分１１５６内に有する装置１１５０の側面図である。図５１は、アーム１１６２が従来の眼鏡１１８４の下でちょうど眼鏡１１８４とユーザ４０の頭部３４の間にある場所、すなわち、眼鏡１１８４から頭部３４に延びる線に沿った場所を延びている状態にある１１５０の図である。
【００９７】
図５２は、ユーザ４０によって着用され、送信機又は送受信機１１２６が周囲温度を変更するための空気調節装置として例示している遠隔温度変更デバイス１１３６と無線接続されて通信している状態にある図４３の装置１１００の図である。
【００９８】
図５３は、ユーザ４０によって着用され、送信機又は送受信機１１２６がユーザ４０の身体１１４０を取り囲む閉じ込められた周囲温度を変更するための人工気候室として例示している遠隔温度変更デバイス１１３８と無線接続されて通信している状態にある図４３の装置１１００の図である。
【００９９】
図５４は、脚１１４４上に位置決めされた脚温度変更デバイス１１４２を示している。脚温度変更デバイス１１４２は、送信機又は送受信機１１２６からの直接のもの又はセル電話として例示している遠隔電子デバイス１１４６を通じたものとすることができる送信機又は送受信機１１２６によって無線送信された信号によってデバイス１１００と通信する受信機又は送受信機１１４８を含む。装置１１００によって送信された信号は解析され、一方又は両方の脚１１４４の温度を変更するのに使用される。
【０１００】
図５５は、送信機又は送受信機１１２６が、ＨＶＡＣ（熱換気空気調節装置）デバイスとして例示している遠隔外部デバイスである非接触温度変更デバイス１１８６と無線接続されて通信しており、かつマットレスの面１１９２上に位置決めされた複数の熱電デバイス１１９０（ペルチェデバイスのような）を含むマットレス１１８８として例示している接触温度変更デバイス１１８８と無線通信している状態にある図４３の装置１１００を着用しているユーザ４０を示している。この実施形態では、装置１１００内のプロセッサ１１２４は、マットレスとして例示している接触温度変更デバイス１１８８の起動により、センサ１１１８によって感知されるＡＢＴＴ終端１０のターゲット温度が取得されない場合に、非接触温度変更デバイス１１８６（非接触ＨＶＡＣのような）を動員するようになっている。
【０１０１】
図５６は、図４３の装置１１００、及び手温度変更デバイス１２００と、足温度変更デバイス１２０２と、腕温度変更デバイス１２０４と、脚温度変更デバイス１２０６と、胴温度変更デバイス１２０８とを含む一連の身体接触温度変更デバイスを着用しているユーザ４０を示している。装置１１００の送信機又は送受信機１１２６は、セル電話のような遠隔外部デバイス１１８２と、図５５に示すもののようなマットレスの面１１９２上に位置決めされた複数の熱電デバイス１１９０を含むマットレス１１８８として例示している第２の接触温度変更デバイス１１８８とに無線接続されてこれらと通信する。この実施形態では、装置１１００内のプロセッサ１１２４は、身体接触温度変更デバイス１２００、１２０２、１２０４、１２０６、及び１２０８の起動により、センサ１１１８によって感知されるＡＢＴＴ終端１０のターゲット温度が取得されない場合に、第２の温度変更デバイス１１８８（マットレス１１８８のような）を動員するようになっている。
【０１０２】
図５７は、図４３の装置１１００を着用しており、毛布として例示している第１の身体接触温度変更デバイス１２１０と接触しており、かつマットレスとして例示している第２の身体接触温度変更デバイス１２１２と接触しているユーザ４０を示している。装置１１００は、送信機又は送受信機１１２６を通して第１の身体接触温度変更デバイス１２１０及び第２の身体接触温度変更デバイス１２１２に無線接続され、かつこれらと通信している。第１の身体接触温度変更デバイス１２１０は、受信機、送信機、又は送受信機１２１４を含み、第２の身体接触温度変更デバイス１２１２は、受信機、送信機、又は送受信機１２１６を含み、第１の身体接触温度変更デバイス１２１０の受信機、送信機、又は送受信機１２１４、及び第２の身体接触温度変更デバイス１２１２の受信機、送信機、又は送受信機１２１６は、送信機又は送受信機１１２６と作動的に結合される。この実施形態では、装置１１００内のプロセッサ１１２４は、第１の身体接触温度変更デバイス１２１０（毛布１２１０のような）の起動により、センサ１１１８によって感知されるＡＢＴＴ終端１０のターゲット温度が取得されない場合に、第２の身体接触温度変更デバイス１２１２（マットレス１２１２のような）を動員するようになっている。
【０１０３】
図５８及び図５９は、全体的に１２３０で示す本発明の開示の例示的実施形態による第１８の装置を示している。図５８に示すように、装置１２３０は、図４８に示す複数のセンサ１１６６と、温度変更デバイス１２３２と、モニタデバイス又はモニタ装置１２４４とを含む。温度変更デバイス１２３２は、右頸動脈部分１２３４、中間鎖骨下部分１２３６、及び左頸動脈部分１２３８という３つの部分を含む。温度変更デバイス１２３２は、着脱可能なワイヤ又はケーブル１２４２によってモニタデバイス１２４４に接続又は取り付けられる。
【０１０４】
図６０から図６２は、全体的に１２５０で示すヘッドバンドとして構成された本発明の開示の例示的実施形態による第１９の装置の図を示している。図６１及び図６２に示すように、装置１２５０は、図４８に示す第１７の装置１１５０の特徴要素と温度変更デバイス１２５２との組合せを含む。装置１２５０は、中心前部分１２５４と、中心後部分１２５６と、側面部分１２５４とを含む。側面部分１２５４は、左側面部分１２６０と右側面部分１２６２に分割される。中心後部分１２５４は、プロセッサ１２６６と、送信機又は送受信機１２６８と、非一時的メモリ１２７０と、電源又は電力供給器１２７２とが内部に位置付けられたハウジング１２７６を含む。中心前部分１２５４は、センサアセンブリ１２７４を含む。センサアセンブリ１２７４は、ヘッドバンド１２５０によって支持されたハウジング１２７６と、ハウジング１２７６に接続された少なくとも１つのアーム１２７８とを含む。各アーム１２７８は、ＡＢＴＴ終端１０上又はそこでそれと相互作用するか又はそこに位置決めされるようなサイズ及び寸法にされたセンサ１２８０を支持する。右側面部分１２６２はハウジング１２８２を含む。ハウジング１２８２は、水のような流体に対するリザーバ１２８４を含む。リザーバ１２８４は、脳コア２４を冷却又は加温するために流体を鼻腔１２９０に噴霧又は送出するためにチューブ１２８６によってノズル１２８８に接続される。ハウジング１２８２は、リザーバ１２８４を含有するのに加えて、モータ又はポンプ１２９２と、これらに対する作動及び命令を実行するために中心後部分１２５６のプロセッサ１２６６及び他の電子回路に接続された電子回路１２９４とを含むことができる。
【０１０５】
図６２から図６５は、全体的に１３００で示す本発明の開示の例示的実施形態による第２０の装置の図を示している。装置１３００は、頭部３４上に位置決めされ、そこに支持されるようなサイズ及び寸法にされた薄いヘッドバンドである。装置１３００は、中心前部分１３０２と、中心後部分１３０４とを含む。中心前部分１３０２はセンサアセンブリ１３０６を含む。センサアセンブリ１３０６は、ヘッドバンド１３００によって支持されたハウジング１３０８と、右アーム１３１０と、左アーム１３１２とを含む。右アーム１３１０及び左アーム１３１２は、ＡＢＴＴ終端１０に位置決めされるようなサイズ及び寸法にされる。各アーム１３１０及び１３１２は、これらの各々内又は上に位置決めされた複数のセンサ１３１４を含む。センサ１３１４は、例えば、光放出器−光検出器対、赤外線センサ、熱センサ、及び化学センサなどとすることができる。中心後部分１３０４は、プロセッサ１３１８と、送信機又は送受信機１３２０と、非一時的メモリ１３２２と、電源又は電力供給器１３２４とが内部に位置決めされたハウジング１３１６を含む。送信機又は送受信機１３２０は、セル電話、タブレット、コンピュータ、及びラジオなどのような遠隔デバイス１３２６に無線接続されるか又はそれと通信しているように構成される。
【０１０６】
図６６は、全体的に１３３０で示す本発明の開示の例示的実施形態による第２１の装置の図を示している。装置１３３０は、図６３の装置１３００との類似点を含み、類似の特徴要素を同様にラベル付けしている。装置１３００とは対照的に、装置１３３０は、１つの調節可能アーム１３１０と、図４８に示すセンサ１１６６のような単一センサとを含む。図６６に示す中心前部分１３０２が、図６３に示す中心後部分１３０４の特徴要素を含むことも認識されるであろう。
【０１０７】
図６７から図６９は、全体的に１３４０で示す本発明の開示の例示的実施形態による第２２の装置の図を示している。装置１３４０の特徴要素は、第２０の装置１３００の特徴要素とほぼ同様であり、従って、装置１３４０を同様にラベル付けしている。しかし、第２２の装置１３４０は、背面部分１３４４内に追加のストラップ１３４２を更に含む。
【０１０８】
図７０は、全体的に１３５０で示す本発明の開示の例示的実施形態による第２３の装置の図を示している。第２３の装置１３５０は、図６６に示す第２１の装置１３３０といくつかの点で同様であり、対応する場合は同様にラベル付けしている。装置１３５０は、ハウジング１３５４を受け入れるようなサイズ及び寸法にされた凹部分１３５２を含む。ハウジング１３５４は、プロセッサ１３５６と、送信機又は送受信機１３５８と、非一時的メモリ１３６０と、電源又は電力供給器１３６２とを含む。送信機又は送受信機１３５８は、セル電話、タブレット、コンピュータ、及びラジオなどのような遠隔デバイス１３２６と無線通信するように構成される。
【０１０９】
図７１及び図７２は、全体的に１３７０で示す本発明の開示の例示的実施形態による第２４の装置の図を示している。装置１３７０は、ある一定の態様において図６３に示す第２０の装置１３００と同様であり、対応する場合は同様にラベル付けしている。第２４の装置１３７０は、移動可能ハウジング１３７２を含む。移動可能ハウジング１３７２は、装置１３７０の中に形成された溝１３７４に相互接続し、かつそれによって支持されるようなサイズ及び寸法にされる。この場合に、ハウジング１３７２は、溝１３７４に沿って移動可能又は位置決め可能である。溝１３７４はワイヤ１３７６を含み、ハウジング１３７２は、溝１３７４に位置決めされた時にワイヤ７６に電気接続される。移動可能ハウジング１３７２内の送信機又は送受信機１３２０は、セル電話、タブレット、コンピュータ、及びラジオなどのような遠隔デバイス１３２６と無線通信する。この実施形態では、ユーザ４０は、装置１３７０に沿って睡眠等に向けてより快適になる場所、又は例えばスポーツ用途に向けて屋外に使用する時に美容的により魅力的な別の場所にハウジング１３７２を位置決めすることができる。
【０１１０】
図７３は、全体的に１３８０で示す本発明の開示の例示的実施形態による第２５の装置の図を示している。第２５の装置１３８０は、第１６の装置１１００の要素と類似のある一定の要素を含み、そのような要素が存在する場合に、これらの要素を同様にラベル付けしている。第２５の装置１３８０は、各々が非接触センサ１３８４を含む２つのアーム１３８２を含む。図７５は、例えば、赤外線センサとすることができる非接触センサ１３８４の拡大図である。図７６は、凹部１３８６を含むアーム１３８２を示しており、赤外線センサ１３８４は、凹部１３８６内に位置決めされている。
【０１１１】
図７４及び図７７は、全体的に１３９０で示す本発明の開示の例示的実施形態による第２６の装置の図を示している。装置１３９０は、図４８のセンサアセンブリ１１５８と、温度変更アセンブリ１３９２とを含む。温度変更アセンブリ１３９２は、受信機又は送受信機１３９６を支持する鼻支持部分１３９４と、右温度変更デバイス１３９８と、左温度変更デバイス１４００とを含む。右温度変更デバイス１３９８及び左温度変更デバイス１４００は、鼻２６のそれぞれの側面に沿って延びる。右温度変更デバイス１３９８及び左温度変更デバイス１４００の各々は、眼窩上静脈２３及び眼窩静脈を通して脳に向けて血液を搬送する顔面静脈２２及び眼角静脈２０に少なくとも部分的に沿って位置決めされる。右温度変更デバイス１３９８及び左温度変更デバイス１４００は、皮膚、並びにその下にある顔面静脈２２及び眼角静脈２０を加熱又は冷却するように適応され、それによって高温又は低温の血液を脳内に運ぶ。センサアセンブリ１１５８は、温度変更アセンブリ１３９２の受信機又は送受信機１３９６に無線接続された送信機又は送受信機１４０２と通信し、そこに信号を送信する。
【０１１２】
図７８から図８０は、全体的に１４１０で示す本発明の開示の例示的実施形態による第２７の装置の図を示している。第２７の装置１４１０は、図４８及び図４９の第１７の装置１１５０に対する代替実施形態を表している。装置１４１０は、約４分の１円周のヘッドバンド１４１２を含む。ヘッドバンド１４１２は、前部分１４１４と、耳支持部分１４１６とを含む。図７８に示すように、装置１４１０は、耳支持部分１４１６によって頭部３４上に位置決めされ、そこに支持されるようなサイズ及び寸法にされた薄い４分の１ヘッドバンド１４１２と、前部分１４１４の一部として形成されたセンサアセンブリ１４１８とを含むように構成される。薄い４分の１ヘッドバンド１４１２は、装置１４１０を頭部３４に固定するために、好ましくは、皮膚への圧力及び並置によって適応される柔軟材料から製造される。薄い４分の１ヘッドバンド１４１２は、装置１４１０と皮膚との摩擦把持を強化するために、好ましくは、湾曲区域１４２０を有し、それによって頭部３４への装置１４１０のより確実な固結をもたらす。前部分１４１４は画面１４２０を含む。センサアセンブリ１４１８は、ハウジング１４２４と、ハウジング１４２４に接続され、薄い４分の１ヘッドバンド１４１２の軸に対して約４５度の角度にある対角の向きに位置決めされたアーム１４２６とを含む。アーム１４２６は、アーム１４２６を鼻２６に固定するための鼻支持部分１４２８を含む。耳支持部分１４１６には、イヤバッド又はイヤホンのコード１４３０が着脱可能に取り付けられる。アーム１４２６は、アームの遠位端１４２６ｄに位置決めされたセンサ１４３４を含む。耳支持部分１４１６は、イヤバッド又はイヤホン１４３２と、マイクロフォン１４３６と、ハウジング１４３８とを含み、ハウジング１４３８は、プロセッサ１４４０と、送信機又は送受信機１４４２と、非一時的メモリ１４４４と、電源又は電力供給器（図示せず）とを含み、かつこれらを支持する。図７９及び図８０ではユーザ４０の右側に位置決めされるように示すイヤバッド又はイヤホン１４３２は、左耳３６と相互作用するための左イヤバッド１４４６を含むことができる。装置１４１０の送信機又は送受信機１４４２は、ディスプレイ１４４８を含んでセンサ１４３４によって送信された信号を受信するように適応されたセル電話のような遠隔デバイス１１８２に無線接続するか又はそれと通信する。デバイス１１８２は、センサ１４３４からの測定値を表示し、同時に広告をディスプレイ１４４８上に表示することができる。本発明の開示の温度変更デバイスのあらゆるものを装置１４１０に有線又は無線の手段によって接続することができ、薄い４分の１ヘッドバンド１４１２又は耳支持部分１４１６は、ポート又は電気コネクタ（図示せず）を含むことができることを理解しなければならない。図７９及び図８０は、装置１４１０を着用しているユーザ４０の図を更に示している。
【０１１３】
図８１から図８３は、全体的に１４６０で示す本発明の開示の例示的実施形態による第２８の装置の図を示している。図８１及び図８３に示すように、装置１４６０は、感知鼻クリップ１４６４を含むように構成されたセンサアセンブリ１４６２と、マスクとして構成された温度変更デバイス１４６６との組合せとして構成される。センサアセンブリ１４６２はＡＢＴＴ終端１０からの信号をモニタするので、センサアセンブリ１４６２、並びに本明細書で説明する他のセンサアセンブリをモニタアセンブリ又はモニタデバイスと呼ぶことができることを理解しなければならない。感知鼻クリップ１４６４は、鼻２６に固定するための鼻部分１４８０と、プロセッサ（図示せず）、送信機又は送受信機（図示せず）、非一時的メモリ（図示せず）、及び電源（図示せず）を含む又は支持するハウジング１４６８とを含む。装置１４６０は、アームに沿ってそれぞれ位置決めされた右センサ１４７６及び左センサ１４７８を含む右調節可能アーム１４７２及び左調節可能アーム１４７４を含むセンサアセンブリ１４７０を含む。マスクとして構成された温度変更デバイス１４６６は、電子回路１４８２（受信機を含む）と、感知鼻クリップ１４６４から受信する信号に従って流体１４８６を放出するために流体ポンプ（図示せず）を有する流体１４８６及びそれを加温又は冷却するための熱電デバイス１４８８を含むリザーバ１４８４とを含む。
【０１１４】
図８４及び図８５は、図８１〜図８３の第２８の装置１４６０に対する代替実施形態である本発明の開示の例示的実施形態による全体的に１５００で示す第２９の装置の図を示している。装置１５００は、１つのセンサ１５０６を含む１つのセンサアセンブリ１５０４と、鼻クリップ１５０２を皮膚に固定するための接着性面１５０８とを含む鼻クリップ１５０２を含む。
【０１１５】
図８８は、全体的に１５１０で示す本発明の開示の例示的実施形態による第３０の装置の図を示し、これは、感知鼻クリップ１５１０として構成された図８１に記載のものの代替実施形態であり、プロセッサ１５１４と、送信機又は送受信機１５１６と、非一時的メモリ１５１８と、電源１５２０とを含む中心部分１５１２、並びに２つの側面部分、すなわち、アームの端部にそれぞれ位置決めされた右センサ１５２６及び左センサ１５２８を含む右調節可能アーム１５２２及び左調節可能アーム１５２４という３つの部分を含む。図８７は、ゴーグル又はマスク１５３０に留められ、腕時計、タブレット、コンピュータ、及び電話などのような遠隔デバイス１１８２に無線接続された図８８の感知鼻クリップを示している。図８６は、感知鼻クリップ１５１０とゴーグル又はマスク１５３０とを着用しているユーザ４０を示している。
【０１１６】
図８９は、手温度変更デバイス１５３６と前腕温度変更デバイス１５３８とに無線接続された図４８の第１７の装置１１５０を示している。
【０１１７】
図９０及び図９１は、プロセッサ１５１４と、送信機、受信機、又は送受信機１５１６と、非一時的メモリ１５１８と、電源１５２０とを含む中心部分１５４２、並びに２つの側面部分、すなわち、右頸動脈及び左頸動脈に位置合わせするように適応され、右頸部分１５４４が複数の熱電デバイス１５４６を含み、左頸部分１５４４が複数の熱電デバイス１５４６を含む右頸部分１５４４及び左頸部分１５４４という３つの部分を含む温度変更デバイス１５４０の図を示している。中心部分１５４２は、頸動脈との位置合わせと、温度変更デバイス１５４０を首４２に固定することとに向けて展性及び／又は柔軟性を有する形状記憶材料を有する。送信機、受信機、又は送受信機１５１６は、本発明の開示のモニタデバイス又は感知デバイス、又はセル電話、腕時計、タブレット、及びコンピュータなどを含む遠隔デバイス１１８２に無線接続される。図９０は、接着性面１５４８と接着性裏当て１５５０とを含む図９１の実施形態を示している。
【０１１８】
図９２〜図９４は、図６８に示す第２２の装置１３４０と温度変更デバイス１５６２との組合せとして構成された第３１の装置１５６０の図を示している。図９３は、第２２の装置１３４０と温度変更デバイス１５６２の間に無線通信を有し、更にセル電話などのような遠隔デバイス１１８２に無線接続している第３１の装置１５６０を着用しているユーザ４０を示している。
【０１１９】
図９５〜図９７は、全体的に１５７０で示す本発明の開示の例示的実施形態による第３２の装置の図を示している。装置１５７０は、図６８に示す第２２の装置１３４０と、プロセッサ１５１４、送信機、受信機、又は送受信機１５１６、非一時的メモリ１５１８、及び電源１５２０を含む中心部分１５７３、並びに２つの側面部分、すなわち、右頸部分１５７６がその端部に右ループ１５８０を含み、左頸部分１５７８がその端部に左ループ１５８０を含み、右ループ１５８０及び左ループ１５８０が眼鏡類又はフレーム１５８４のこめかみ１５８２上に留まるように適応された右頸部分１５７６及び左頸部分１５７８という３つの部分を含む温度変更デバイス１５７２とを含む。図９５は、装置１３４０と、温度変更デバイス１５７２と、眼鏡類又はフレーム１５８４とを着用しているユーザ４０を示している。装置１３４０は、温度変更デバイス１５７２と、セル電話などのような遠隔デバイス１１８２とに無線接続される。
【０１２０】
図９８は、柔軟形状記憶材料から製造され、摩擦把持の右区域１５９４と左区域１５９６とを含み、プロセッサ１５１４と、送信機、受信機、又は送受信機１５１６と、非一時的メモリ１５１８と、電源１５２０とを含む中心部分１５９８、並びに２つの側面部分、すなわち、右頸動脈及び左頸動脈に位置合わせするように適応され、右頸部分１６００が複数の熱電デバイス１６０４を含み、左頸部分１６０２が複数の熱電デバイス１６０４を含む右頸部分１６００及び左頸部分１６０２という３つの部分を含む本体１５９２を含む温度変更デバイス１５９０を示している。右頸部分１６００及び左頸部分１６０２は、頸動脈との位置合わせと、温度変更デバイス１５９０を首４２に固定することとに向けて好ましくは展性及び／又は柔軟性を有する形状記憶材料を含む。送信機、受信機、又は送受信機１５１６は、本発明の開示のモニタデバイス又は感知デバイス、又は腕時計、タブレット、コンピュータ、及び電話などを含む遠隔デバイス１１８２に無線接続される。図９９〜図１０１は、温度変更デバイス１５９０を第２２の装置１３４０と共に着用しているユーザ４０の図を示している。
【０１２１】
図１０２〜図１０４は、モニタデバイス又は感知デバイスのセンサから受信した信号に基づく温度変更デバイスの温度の変更の様々なパターンの図を示している。図１０２は、漸進的で比較的緩慢な温度変化を有する睡眠中の例示的な変更パターンを示している。図１０３は、重度の低体温症を処置している最中の急激な温度上昇を有し、更に、オーバーシュートさえも有する変更パターン、又は同様のパターンであるがより急激な熱電デバイスの温度低下を有する逆のパターンを有する発作を処置するための変更パターン（図示せず）のような切迫した状況中の例示的な変更パターンを示している。図１０４は、寒い天候の中での登山中に暖めるための着実で漸進的であるがかなり強い温度上昇を必要とする状況中の変更パターン、又は暑い天候の中での身体活動中の類似のパターンであって着実で漸進的であるがかなり強い熱電デバイスの温度低下を有する逆のパターンを有する変更パターン（図示せず）のような例示的な変更パターンを示している。
【０１２２】
図１０５は、ＡＢＴＴのモニタ又は感知のデバイス又はアセンブリとして表す温度変更デバイス（ＴＭＤ）１６１２とセンサアセンブリ１６１４の間の例示的なフィードバックループ制御システム１６１０を示している。ＡＢＴＴ終端１０はＴＭＤ１６１２に入力信号を提供し、ＴＭＤ１６１２は、ＡＢＴＴ終端１０内に提供される出力信号を生成し、更にＡＢＴＴ終端１０は信号をセンサアセンブリ１６１４に送信する。センサアセンブリ１６１４からの信号は解析され、ＴＭＤ１６１２への新しい入力信号として送信される新しい入力信号が生成される。
【０１２３】
図１０６は、モニタ感知デバイス内のプロセッサが例示的な睡眠誘導フェーズである期間「ｘ」にわたって被検者が眠った後に温度低下「Ｙ」を含むターゲットパターンを有する睡眠中の例示的なフィードバック制御システムを示している。この期間には、第２の安定温度フェーズ「ｐ」が続き、それに期間「ｚ」にわたるいくらかの温度の高まりが続き、更に覚醒に対応する期間「ｖ」にわたる温度上昇「ｗ」が続く。この熱パターンに対するあらゆる偏奇は、プロセッサからＴＭＤ１６１２に命令を送信し、特定の期間にわたってＴＭＤ１６１２の温度を上昇又は低下させることによって補正される。
【０１２４】
図１０７は、ターゲットパターンからのプラス又はマイナスの偏奇１６１６の例示的な許容範囲を示している。好ましい±の偏奇１６１６は、セ氏０．４度、より好ましくはセ氏０．３度、より好ましくはセ氏０．２度、更により好ましくはセ氏０．１度、最も好ましくはセ氏０．０５度である。
【０１２５】
図１０８は、例えば、外科手順中に見られるターゲットパターンからのプラス又はマイナスの偏奇１６１８の例示的な許容範囲を示している。
【０１２６】
図１０９〜図１１１は、全体的に１６３０で示す本発明の開示の例示的実施形態による別の装置の図を示している。図１１０及び図１１１に示すように、装置１６３０は、ゴーグル又はゴーグルフレーム１６３４として構成されたセンサアセンブリ１６３２と温度変更デバイス（ＴＭＤ）１６３６との組合せとして構成され、センサアセンブリ１６３２は、図９１の温度変更デバイス１５４０と類似のＴＭＤ１６３６と電気接続するために首４２の後面に沿って延びるケーブル１６３８及びコネクタ１６４０を含む。ＴＭＤ１６３６は、センサアセンブリ１６３２からのケーブル１６３８を受け入れるように適応されたポート又は電気接続部１６４２を含む。
【０１２７】
図１１２は、頸動脈及び耳介後区域に位置合わせされた複数の熱電デバイス１６５２を含む本発明の開示の例示的実施形態による温度変更デバイス（ＴＭＤ）１６５０を示している。
【０１２８】
図１１３は、１よりも多い個人が部屋のような同じ熱環境内にいる場合のような１よりも多い信号がモニタデバイスによって感受される場合に周囲温度を変更するように適応された閉フィードバックループシステム１６６０を示している。３人の個人Ａ、Ｂ、及びＣは、各個人において個々のＡＢＴＴセンサ１６６６の各々によって検出された３つの異なる体温１６６４を有し、３つの異なる体温は、温度変更デバイス（ＴＭＤ）１６６２に送信され、温度変更デバイス１６６２は、第１の段階でセ氏３６．７度をもたらす３つの異なる温度の平均に基づいて出力を提供し、サーモスタット１６６８をセ氏３６．７度に調節する。予め決められた時間量の後に、Ａ、Ｂ、及びＣの新しい測定値がＴＭＤ１６６２に送信されるが、セ氏３６．７度の周囲温度はＡ、Ｂ、及びＣの体温１６７０を変化させており、Ｃはセ氏３９度に達している。ＴＭＤ１６６２内のプロセッサは、最も高い温度偏奇、この場合はＣにおいて発生したものを取得し、ＴＭＤ１６６２の温度調節を決定する。従って、より低い温度であるセ氏３６度が新しいターゲット周囲温度である。プロセッサは、新しいターゲット周囲温度を決定するのにＡ及びＢの温度がセ氏３６度に近いことも考慮に入れる。
【０１２９】
図１１４は、全体的に１６８０で示す本発明の開示の例示的実施形態による第１の過程フローを示している。過程フロー１６８０は、図５５に関して記述した特徴を組み込む例示的な過程を示している。過程フロー１６８０は、レジスタを消去し、初期値を設定することができ、非一時的メモリに格納されたソフトウエア及びデータをアップロードすること又はこれらにアクセスすることなどを行うことができる開始過程１６８２で始まる。次に、制御は、開始過程１６８２からＡＢＴＴ終端温度感受過程に移る。
【０１３０】
ＡＢＴＴ終端温度感受過程１６８２では、一方又は両方のＡＢＴＴ終端１０の温度を感受し、次に、この温度を温度解析過程１６８６において解析する。次に、制御は、温度解析過程１６８６から被検者又は患者４０の温度の変更に対する必要性に関して決定を行う温度変更判断過程１６８８に移る。温度の変更が必要ではない場合に、制御は終了過程１６９０に移り、それによって過程１６８０は終了する。
【０１３１】
温度変更が必要な場合に、制御は、マットレスのような第１の温度変更デバイスを起動又は関与させる第１温度変更デバイス作動過程１６９２に移る。次に、ＡＢＴＴ終端温度感受過程１６９４においてＡＢＴＴ終端１０から別の温度を感受する。所望ＡＢＴＴ終端温度判断過程１６９６において、ＡＢＴＴ終端１０が所望温度又は温度プロファイルに到達しているか否かの決定を行う。望ましい温度又は温度プロファイルが取得されている場合に、制御は終了過程１６９０に移る。望ましい温度又は温度プロファイルが取得されていない場合に、制御は、第２温度変更デバイス関与又は動員過程１７００に移り、ＨＶＡＣシステムのような第２の温度変更デバイスを作動又は起動する。次に、制御は、ＡＢＴＴ終端１０の温度を再度感受するＡＢＴＴ終端温度感受過程１７０２に移る。次に、制御は、所望ＡＢＴＴ終端温度到達判断過程１７０４に移る。
【０１３２】
望ましいＡＢＴＴ温度又は温度プロファイルが取得されている場合に、制御は終了過程１６９０に移る。望ましいＡＢＴＴ温度又は温度プロファイルが取得されていない場合に、制御は、第１のデバイスと第２のデバイスの両方を作動させ続ける温度変更続行過程１７０６に移る。次に、制御は、温度変更続行過程１７０６から上述のように作動するＡＢＴＴ終端温度感受過程１７０２に移る。
【０１３３】
図１１５は、全体的に１７１０で示し、図１０７及び関連の説明を参照する本発明の開示の例示的実施形態による第２の過程フローを示している。過程１７１０は、上記で記述した開始過程１６８２と同じく機能することができる開始過程１７１２で始まる。次に、制御は、一方又は両方のＡＢＴＴ終端１０からの温度を感受するＡＢＴＴ終端温度感受過程１７１４に移り、次に、ＡＢＴＴ終端１０からの温度を解析するＡＢＴＴ終端温度解析過程１７１６に移る。更に、制御は、事前決定パターン追従温度プロファイル過程１７１８に移る。ＡＢＴＴ終端１０から感受した温度が、図１０７に記載のもののような予め決められたパターンに追従している場合に、制御は終了過程１７２２に移り、そこで過程１７１０は終了する。そうでなければ、制御は、温度変更関与又は続行過程１７２０に移る。温度の変更が必要とされ、１又は２以上の温度変更デバイスが利用可能である場合に、過程１７２０において１又は２以上のデバイスを関与／起動させる。全ての利用可能温度変更デバイスを関与させた場合に、これらのデバイスは過程１７２０において関与状態に留まり、制御は、上述のＡＢＴＴ終端温度感受過程１７１４に移る。
【０１３４】
図１１６は、全体的に１７３０で示す本発明の開示の例示的実施形態による第３の過程フローを示している。上記で与えた図１１３に関する説明も参照されたい。過程１７３０は、上記で記述した開始過程１６８２に類似とすることができる開始過程１７３２で始まる。次に、制御は、複数個人のＡＢＴＴ終端１０からの入力を感受する複数ＡＢＴＴ終端入力感受１７３４に移る。次に、制御は、複数個人のＡＢＴＴ終端温度の平均を取る複数ＡＢＴＴ終端入力平均段階１７３０に移る。その後に、制御は、周囲温度調節過程１７３８に移る。
【０１３５】
周囲温度調節過程１７３８では、複数個人を含む部屋又は閉鎖空間の周囲温度を変更するためにＨＶＡＣシステムのような環境制御器を調節する。次に、制御は、少なくとも５分であるが２０分を超えない時間のような予め決められた時間が経過するまで自己ループバックする事前決定時間過程１７４０に移る。予め決められた時間が経過すると、制御は、複数個人のＡＢＴＴ終端１０からの入力を感受する複数ＡＢＴＴ終端入力感受過程１７４２に移る。次に、制御は、複数個人のＡＢＴＴ終端１０から感受した全ての温度のうちで最大の温度偏奇を識別する最大温度偏奇識別過程１７４４に移る。次に、制御は、複数個人のＡＢＴＴ終端１０の温度に基づいて最大温度偏奇を用いて周囲温度を調節する周囲温度調節過程１７４６に移る。更に、制御は、過程完了判断過程１７４８に移る。過程１７３０が、例えば、複数個人が部屋又は閉鎖空間を出て行った場合又は手動による無効化の場合等に発生する可能性がある完了状態にある場合に、制御は、終了過程１７５０に移り、過程１７３０は終了する。そうでなければ、制御は、上記で記述した事前決定時間過程１７４０に移る。
【０１３６】
簡潔化の目的で、実施形態は、例示的デバイスとして示した。いずれの実施形態のいずれの部分も、単一実施形態を生成するために組合せで使用することができ、いずれの実施形態のいずれの部分も、別の実施形態に対する置換又は追加として使用することができ、実施形態のいずれの組合せも、単一実施形態と見なすことができ、取得される全ての実施形態は、本発明の範囲内である。
【０１３７】
本発明の開示の様々な実施形態を図示して説明したが、これらの実施形態は、それに限定されないことは理解される。実施形態は、当業者によって変更、修正、更に応用することができる。従って、これらの実施形態は、上記に図示して説明した詳細に限定されず、むしろ全てのそのような変更及び修正を同じく含むものである。
【符号の説明】
【０１３８】
１０  ＡＢＴＴ終端
１４  前頭静脈
１６  上眼瞼静脈
１８  眼窩上静脈
ＡＢＴＴ  Ａｂｒｅｕ脳熱トンネル
【図１】
2018516111.tif 000003
【図２】
2018516111.tif 000004
【図３】
2018516111.tif 000005
【図４】
2018516111.tif 000006
【図５】
2018516111.tif 000007
【図６】
2018516111.tif 000008
【図７】
2018516111.tif 000009
【図８】
2018516111.tif 000010
【図９】
2018516111.tif 000011
【図１０】
2018516111.tif 000012
【図１１】
2018516111.tif 000013
【図１２】
2018516111.tif 000014
【図１３】
2018516111.tif 000015
【図１４】
2018516111.tif 000016
【図１５】
2018516111.tif 000017
【図１６】
2018516111.tif 000018
【図１７】
2018516111.tif 000019
【図１８】
2018516111.tif 000020
【図１９】
2018516111.tif 000021
【図２０】
2018516111.tif 000022
【図２１】
2018516111.tif 000023
【図２２】
2018516111.tif 000024
【図２３】
2018516111.tif 000025
【図２４】
2018516111.tif 000026
【図２５】
2018516111.tif 000027
【図２６】
2018516111.tif 000028
【図２７】
2018516111.tif 000029
【図２８】
2018516111.tif 000030
【図２９】
2018516111.tif 000031
【図３０】
2018516111.tif 000032
【図３１】
2018516111.tif 000033
【図３２】
2018516111.tif 000034
【図３３】
2018516111.tif 000035
【図３４】
2018516111.tif 000036
【図３５】
2018516111.tif 000037
【図３６】
2018516111.tif 000038
【図３７】
2018516111.tif 000039
【図３８】
2018516111.tif 000040
【図３９】
2018516111.tif 000041
【図４０】
2018516111.tif 000042
【図４１】
2018516111.tif 000043
【図４２】
2018516111.tif 000044
【図４３】
2018516111.tif 000045
【図４４】
2018516111.tif 000046
【図４５】
2018516111.tif 000047
【図４６】
2018516111.tif 000048
【図４７】
2018516111.tif 000049
【図４８】
2018516111.tif 000050
【図４９】
2018516111.tif 000051
【図５０】
2018516111.tif 000052
【図５１】
2018516111.tif 000053
【図５２】
2018516111.tif 000054
【図５３】
2018516111.tif 000055
【図５４】
2018516111.tif 000056
【図５５】
2018516111.tif 000057
【図５６】
2018516111.tif 000058
【図５７】
2018516111.tif 000059
【図５８】
2018516111.tif 000060
【図５９】
2018516111.tif 000061
【図６０】
2018516111.tif 000062
【図６１】
2018516111.tif 000063
【図６２】
2018516111.tif 000064
【図６３】
2018516111.tif 000065
【図６４】
2018516111.tif 000066
【図６５】
2018516111.tif 000067
【図６６】
2018516111.tif 000068
【図６７】
2018516111.tif 000069
【図６８】
2018516111.tif 000070
【図６９】
2018516111.tif 000071
【図７０】
2018516111.tif 000072
【図７１】
2018516111.tif 000073
【図７２】
2018516111.tif 000074
【図７３】
2018516111.tif 000075
【図７４】
2018516111.tif 000076
【図７５】
2018516111.tif 000077
【図７６】
2018516111.tif 000078
【図７７】
2018516111.tif 000079
【図７８】
2018516111.tif 000080
【図７９】
2018516111.tif 000081
【図８０】
2018516111.tif 000082
【図８１】
2018516111.tif 000083
【図８２】
2018516111.tif 000084
【図８３】
2018516111.tif 000085
【図８４】
2018516111.tif 000086
【図８５】
2018516111.tif 000087
【図８６】
2018516111.tif 000088
【図８７】
2018516111.tif 000089
【図８８】
2018516111.tif 000090
【図８９】
2018516111.tif 000091
【図９０】
2018516111.tif 000092
【図９１】
2018516111.tif 000093
【図９２】
2018516111.tif 000094
【図９３】
2018516111.tif 000095
【図９４】
2018516111.tif 000096
【図９５】
2018516111.tif 000097
【図９６】
2018516111.tif 000098
【図９７】
2018516111.tif 000099
2018516111.tif 000100
【図９８】
2018516111.tif 000101
【図９９】
2018516111.tif 000102
【図１００】
2018516111.tif 000103
【図１０１】
2018516111.tif 000104
【図１０２】
2018516111.tif 000105
【図１０３】
2018516111.tif 000106
【図１０４】
2018516111.tif 000107
【図１０５】
2018516111.tif 000108
【図１０６】
2018516111.tif 000109
【図１０７】
2018516111.tif 000110
【図１０８】
2018516111.tif 000111
【図１０９】
2018516111.tif 000112
【図１１０】
2018516111.tif 000113
【図１１１】
2018516111.tif 000114
【図１１２】
2018516111.tif 000115
【図１１３】
2018516111.tif 000116
【図１１４】
2018516111.tif 000117
【図１１５】
2018516111.tif 000118
【図１１６】
2018516111.tif 000119
【国際調査報告】
2018516111.tif 000120